(57)【要約】  通信システムにおけるメッセージの送信をスケジュールするためのシステムおよび方法。実施形態において、方法（１０００）は、サブフレーム（４４０）に関連付けられているメジャー参照点（４１０）およびマイナー参照点（４２０）を識別すること（１０２０）を含む。方法（１０００）はまた、メジャー参照点（４１０）の間のマイナー参照点（４２０）のうちの１つで始まるようメッセージ（４００）の送信をスケジュールすること（１０３０）を含む。【選択図】図４
2019524033.tif 000002
【特許請求の範囲】
【請求項１】
メジャー参照点（４１０）が境界（４３０）とそろえられ、マイナー参照点（４２０）が前記メジャー参照点（４１０）の間の時間に分散されているサブフレーム（４４０）の前記境界（４３０）を識別すること（１０２０）と、
前記メジャー参照点（４１０）の間の前記マイナー参照点（４２０）のうちの１つで始まるようメッセージ（４００）の送信をスケジュールすること（１０３０）とを含む、方法（１０００）。
【請求項２】
前記メジャー参照点（４１０）および前記マイナー参照点（４２０）は、前記メッセージ（４００）に関連付けられている直交周波数分割多重（ＯＦＤＭ）シンボル（４６０）の始めに対応する、請求項１に記載の方法（１０００）。
【請求項３】
前記メジャー参照点（９２０）の少なくとも１つでダウンリンク制御情報（ＤＣＩ）フォーマットの完全セット（９１０）を提供すること（１０５０）と、前記マイナー参照点（９４０）の少なくとも１つでＤＣＩフォーマットの制限付きセット（９３０）を提供することとをさらに含む、請求項１に記載の方法（１０００）。
【請求項４】
前記スケジュールすること（１０３０）は、サブフレーム（４４０）の始めにガード期間を挿入することをさらに含む、請求項１に記載の方法（１０００）。
【請求項５】
前記メッセージ（４００）の前記送信に関連するハイブリッド自動再送要求メッセージの送信をスケジュールすること（１０４０）をさらに含む、請求項１に記載の方法（１０００）。
【請求項６】
前記スケジュールすること（１０３０）は、前記メッセージ（４００）の期間を選択することをさらに含む、請求項１に記載の方法（１０００）。
【請求項７】
前記メジャー参照点（４１０）および前記マイナー参照点（４２０）は、時間で均一に分散される、請求項１に記載の方法（１０００）。
【請求項８】
時間における前記メジャー参照点（４１０）および前記マイナー参照点（４２０）の分散は、前記メッセージ（４００）の通信パスの関数である、請求項１に記載の方法（１０００）。
【請求項９】
前記メッセージ（７００）は、前記マイナー参照点（７１０）の１つで始まり、メジャー参照点（７２０）で終了する、請求項１に記載の方法（１０００）。
【請求項１０】
前記メッセージ（８００）は、前記マイナー参照点（８１０）の１つで始まり、前記マイナー参照点（８２０）の別の１つで終了する、請求項１に記載の方法（１０００）。
【請求項１１】
前記メッセージ（６００）は、メジャー参照点（６３０）をまたぐ、請求項１に記載の方法（１０００）。
【請求項１２】
前記方法（１０００）は、通信システム（１００）の無線アクセスノード（１１０、３００）において実行される、請求項１に記載の方法（１０００）。
【請求項１３】
プロセッサ（３０５）と、
コンピュータプログラムコードを含むメモリ（３１０）とを備え、前記プロセッサ（３０５）、前記メモリ（３１０）、および前記コンピュータプログラムコードは、
メジャー参照点（４１０）が境界（４３０）とそろえられ、マイナー参照点（４２０）が前記メジャー参照点（４１０）の間の時間に分散されているサブフレーム（４４０）の前記境界（４３０）を識別することと、
前記メジャー参照点（４１０）の間の前記マイナー参照点（４２０）のうちの１つで始まるようメッセージ（４００）の送信をスケジュールすることとを行うように集合的に動作可能である、装置（１１０、３００）。
【請求項１４】
前記メジャー参照点（４１０）および前記マイナー参照点（４２０）は、前記メッセージ（４００）に関連付けられている直交周波数分割多重（ＯＦＤＭ）シンボル（４６０）の始めに対応する、請求項１３に記載の装置（１１０、３００）。
【請求項１５】
前記メモリ（３１０）および前記コンピュータプログラムコードは、前記プロセッサ（３０５）により、前記装置（１１０、３００）に、前記メジャー参照点（９２０）の少なくとも１つでダウンリンク制御情報（ＤＣＩ）フォーマットの完全セット（９１０）を提供させるように、かつ前記マイナー参照点（９４０）の少なくとも１つでＤＣＩフォーマットの制限付きセット（９３０）を提供させるようにさらに設定される、請求項１３に記載の装置（１１０、３００）。
【請求項１６】
前記メモリ（３１０）および前記コンピュータプログラムコードは、前記プロセッサ（３０５）により、前記装置（１１０、３００）に、サブフレーム（４４０）の始めにガード期間を挿入させるようにさらに設定される、請求項１３に記載の装置（１１０、３００）。
【請求項１７】
前記メモリ（３１０）および前記コンピュータプログラムコードは、前記プロセッサ（３０５）により、前記装置（１１０、３００）に、前記メッセージ（４００）の前記送信に関連するハイブリッド自動再送要求メッセージの送信をスケジュールさせるようにさらに設定される、請求項１３に記載の装置（１１０、３００）。
【請求項１８】
前記メモリ（３１０）および前記コンピュータプログラムコードは、前記プロセッサ（３０５）により、前記装置（１１０、３００）に、前記メッセージ（４００）の期間を選択させるようにさらに設定される、請求項１３に記載の装置（１１０、３００）。
【請求項１９】
前記メジャー参照点（４１０）および前記マイナー参照点（４２０）は、時間で均一に分散される、請求項１３に記載の装置（１１０、３００）。
【請求項２０】
時間における前記メジャー参照点（４１０）および前記マイナー参照点（４２０）の分散は、前記メッセージ（４００）の通信パスの関数である、請求項１３に記載の装置（１１０、３００）。
【請求項２１】
前記メッセージ（７００）は、前記マイナー参照点（７１０）の１つで始まり、メジャー参照点（７２０）で終了する、請求項１３に記載の装置（１１０、３００）。
【請求項２２】
前記メッセージ（８００）は、前記マイナー参照点（８１０）の１つで始まり、前記マイナー参照点（８２０）の別の１つで終了する、請求項１３に記載の装置（１１０、３００）。
【請求項２３】
前記メッセージ（６００）は、メジャー参照点（６３０）をまたぐ、請求項１３に記載の装置（１１０、３００）。
【請求項２４】
前記装置（１１０、３００）は、通信システム（１００）の無線アクセスノード（１１０、３００）において具現される、請求項１３に記載の装置（１１０、３００）。
【請求項２５】
サブフレーム（４４０）に関連付けられているマイナー参照点（４２０）を識別すること（１０２０）と、
前記サブフレーム（４４０）の境界（４３０）上のマイナー参照点（４２０）をメジャー参照点（４１０）として識別すること（１０２０）と、
前記メジャー参照点（４１０）の間の前記マイナー参照点（４２０）のうちの１つで始まるようメッセージ（４００）の送信をスケジュールすること（１０３０）とを含む、方法（１０００）。
【請求項２６】
前記メジャー参照点（４１０）および前記マイナー参照点（４２０）は、前記メッセージ（４００）に関連付けられている直交周波数分割多重（ＯＦＤＭ）シンボル（４６０）の始めに対応する、請求項２５に記載の方法（１０００）。
【請求項２７】
前記メジャー参照点（９２０）の少なくとも１つでダウンリンク制御情報（ＤＣＩ）フォーマットの完全セット（９１０）を提供すること（１０５０）と、前記マイナー参照点（９４０）の少なくとも１つでＤＣＩフォーマットの制限付きセット（９３０）を提供することとをさらに含む、請求項２５に記載の方法（１０００）。
【請求項２８】
前記スケジュールすること（１０３０）は、サブフレーム（４４０）の始めにガード期間を挿入することをさらに含む、請求項２５に記載の方法（１０００）。
【請求項２９】
前記メッセージ（４００）の前記送信に関連するハイブリッド自動再送要求メッセージの送信をスケジュールすること（１０４０）をさらに含む、請求項２５に記載の方法（１０００）。
【請求項３０】
前記スケジュールすること（１０３０）は、前記メッセージ（４００）の期間を選択することをさらに含む、請求項２５に記載の方法（１０００）。
【請求項３１】
前記メジャー参照点（４１０）および前記マイナー参照点（４２０）は、時間で均一に分散される、請求項２５に記載の方法（１０００）。
【請求項３２】
時間における前記メジャー参照点（４１０）および前記マイナー参照点（４２０）の分散は、前記メッセージ（４００）の通信パスの関数である、請求項２５に記載の方法（１０００）。
【請求項３３】
前記メッセージ（７００）は、前記マイナー参照点（７１０）の１つで始まり、メジャー参照点（７２０）で終了する、請求項２５に記載の方法（１０００）。
【請求項３４】
前記メッセージ（８００）は、前記マイナー参照点（８１０）の１つで始まり、前記マイナー参照点（８２０）の別の１つで終了する、請求項２５に記載の方法（１０００）。
【請求項３５】
前記メッセージ（６００）は、メジャー参照点（６３０）をまたぐ、請求項２５に記載の方法（１０００）。
【請求項３６】
前記方法（１０００）は、通信システム（１００）の無線アクセスノード（１１０、３００）において実行される、請求項２５に記載の方法（１０００）。
【請求項３７】
プロセッサ（３０５）と、
コンピュータプログラムコードを含むメモリ（３１０）とを備え、前記プロセッサ（３０５）、前記メモリ（３１０）、および前記コンピュータプログラムコードは、
サブフレーム（４４０）に関連付けられているマイナー参照点（４２０）を識別することと、
前記サブフレーム（４４０）の境界（４３０）上のマイナー参照点（４２０）をメジャー参照点（４１０）として識別することと、
前記メジャー参照点（４１０）の間の前記マイナー参照点（４２０）のうちの１つで始まるようメッセージ（４００）の送信をスケジュールすることとを行うように集合的に動作可能である、装置（１１０、３００）。
【請求項３８】
前記メジャー参照点（４１０）および前記マイナー参照点（４２０）は、前記メッセージ（４００）に関連付けられている直交周波数分割多重（ＯＦＤＭ）シンボル（４６０）の始めに対応する、請求項３７に記載の装置（１１０、３００）。
【請求項３９】
前記メモリ（３１０）および前記コンピュータプログラムコードは、前記プロセッサ（３０５）により、前記装置（１１０、３００）に、前記メジャー参照点（９２０）の少なくとも１つでダウンリンク制御情報（ＤＣＩ）フォーマットの完全セット（９１０）を提供させるように、かつ前記マイナー参照点（９４０）の少なくとも１つでＤＣＩフォーマットの制限付きセット（９３０）を提供させるようにさらに設定される、請求項３７に記載の装置（１１０、３００）。
【請求項４０】
前記メモリ（３１０）および前記コンピュータプログラムコードは、前記プロセッサ（３０５）により、前記装置（１１０、３００）に、サブフレーム（４４０）の始めにガード期間を挿入させるようにさらに設定される、請求項３７に記載の装置（１１０、３００）。
【請求項４１】
前記メモリ（３１０）および前記コンピュータプログラムコードは、前記プロセッサ（３０５）により、前記装置（１１０、３００）に、前記メッセージ（４００）の前記送信に関連するハイブリッド自動再送要求メッセージの送信をスケジュールさせるようにさらに設定される、請求項３７に記載の装置（１１０、３００）。
【請求項４２】
前記メモリ（３１０）および前記コンピュータプログラムコードは、前記プロセッサ（３０５）により、前記装置（１１０、３００）に、前記メッセージ（４００）の期間を選択させるようにさらに設定される、請求項３７に記載の装置（１１０、３００）。
【請求項４３】
前記メジャー参照点（４１０）および前記マイナー参照点（４２０）は、時間で均一に分散される、請求項３７に記載の装置（１１０、３００）。
【請求項４４】
時間における前記メジャー参照点（４１０）および前記マイナー参照点（４２０）の分散は、前記メッセージ（４００）の通信パスの関数である、請求項３７に記載の装置（１１０、３００）。
【請求項４５】
前記メッセージ（７００）は、前記マイナー参照点（７１０）の１つで始まり、メジャー参照点（７２０）で終了する、請求項３７に記載の装置（１１０、３００）。
【請求項４６】
前記メッセージ（８００）は、前記マイナー参照点（８１０）の１つで始まり、前記マイナー参照点（８２０）の別の１つで終了する、請求項３７に記載の装置（１１０、３００）。
【請求項４７】
前記メッセージ（６００）は、メジャー参照点（６３０）をまたぐ、請求項３７に記載の装置（１１０、３００）。
【請求項４８】
前記装置（１１０、３００）は、通信システム（１００）の無線アクセスノード（１１０、３００）において具現される、請求項３７に記載の装置（１１０、３００）。
【請求項４９】
メジャー参照点（４１０）が境界（４３０）とそろえられ、マイナー参照点（４２０）が前記メジャー参照点（４１０）の間の時間に分散されているサブフレーム（４４０）の前記境界（４３０）を識別すること（１１２０）と、
前記メジャー参照点（４１０）の間の前記マイナー参照点（４２０）のうちの１つで始まるようメッセージ（４００）を送信すること（１１３０）とを含む、方法（１１００）。
【請求項５０】
前記メジャー参照点（４１０）および前記マイナー参照点（４２０）は、前記メッセージ（４００）に関連付けられている直交周波数分割多重（ＯＦＤＭ）シンボル（４６０）の始めに対応する、請求項４９に記載の方法（１１００）。
【請求項５１】
前記メジャー参照点（９２０）の少なくとも１つでダウンリンク制御情報（ＤＣＩ）フォーマットの完全セット（９１０）を監視し、前記マイナー参照点（９４０）の少なくとも１つでＤＣＩフォーマットの制限付きセット（９３０）を監視すること（１１５０）とをさらに含む、請求項４９に記載の方法（１１００）。
【請求項５２】
前記送信すること（１１３０）は、サブフレーム（４４０）の始めにガード期間を挿入することをさらに含む、請求項４９に記載の方法（１１００）。
【請求項５３】
ハイブリッド自動再送要求プロセスに応じて前記メッセージ（４００）を再送信すること（１１４０）をさらに含む、請求項４９に記載の方法（１１００）。
【請求項５４】
前記送信すること（１１３０）は、前記メッセージ（４００）の期間を選択することをさらに含む、請求項４９に記載の方法（１１００）。
【請求項５５】
前記メジャー参照点（４１０）および前記マイナー参照点（４２０）は、時間で均一に分散される、請求項４９に記載の方法（１１００）。
【請求項５６】
時間における前記メジャー参照点（４１０）および前記マイナー参照点（４２０）の分散は、前記メッセージ（４００）の通信パスの関数である、請求項４９に記載の方法（１１００）。
【請求項５７】
前記メッセージ（７００）は、前記マイナー参照点（７１０）の１つで始まり、メジャー参照点（７２０）で終了する、請求項４９に記載の方法（１１００）。
【請求項５８】
前記メッセージ（８００）は、前記マイナー参照点（８１０）の１つで始まり、前記マイナー参照点（８２０）の別の１つで終了する、請求項４９に記載の方法（１１００）。
【請求項５９】
前記メッセージ（６００）は、メジャー参照点（６３０）をまたぐ、請求項４９に記載の方法（１１００）。
【請求項６０】
前記方法（１１００）は、通信システム（１００）のユーザ機器（１０５、２００）において実行される、請求項４９に記載の方法（１１００）。
【請求項６１】
プロセッサ（２０５）と、
コンピュータプログラムコードを含むメモリ（２１０）とを備え、前記プロセッサ（２０５）、前記メモリ（２１０）、および前記コンピュータプログラムコードは、
メジャー参照点（４１０）が境界（４３０）とそろえられ、マイナー参照点（４２０）が前記メジャー参照点（４１０）の間の時間に分散されているサブフレーム（４４０）の前記境界（４３０）を識別することと、
前記メジャー参照点（４１０）の間の前記マイナー参照点（４２０）のうちの１つで始まるようメッセージ（４００）を送信することとを行うように集合的に動作可能である、装置（１０５、２００）。
【請求項６２】
前記メジャー参照点（４１０）および前記マイナー参照点（４２０）は、前記メッセージ（４００）に関連付けられている直交周波数分割多重（ＯＦＤＭ）シンボル（４６０）の始めに対応する、請求項６１に記載の装置（１０５、２００）。
【請求項６３】
前記メモリ（２１０）および前記コンピュータプログラムコードは、前記プロセッサ（２０５）により、前記装置（１０５、２００）に、前記メジャー参照点（９２０）の少なくとも１つでダウンリンク制御情報（ＤＣＩ）フォーマットの完全セット（９１０）を監視させるように、かつ前記マイナー参照点（９４０）の少なくとも１つでＤＣＩフォーマットの制限付きセット（９３０）を監視させるようにさらに設定される、請求項６１に記載の装置（１０５、２００）。
【請求項６４】
前記メモリ（２１０）および前記コンピュータプログラムコードは、前記プロセッサ（２０５）により、前記装置（１０５、２００）に、サブフレーム（４４０）の始めにガード期間を挿入させるようにさらに設定される、請求項６１に記載の装置（１０５、２００）。
【請求項６５】
前記メモリ（２１０）および前記コンピュータプログラムコードは、前記プロセッサ（２０５）により、前記装置（１０５、２００）に、ハイブリッド自動再送要求プロセスに応じて前記メッセージ（４００）を再送信させるようにさらに設定される、請求項６１に記載の装置（１０５、２００）。
【請求項６６】
前記メモリ（２１０）および前記コンピュータプログラムコードは、前記プロセッサ（２０５）により、前記装置（１０５、２００）に、前記メッセージ（４００）の期間を選択させるようにさらに設定される、請求項６１に記載の装置（１０５、２００）。
【請求項６７】
前記メジャー参照点（４１０）および前記マイナー参照点（４２０）は、時間で均一に分散される、請求項６１に記載の装置（１０５、２００）。
【請求項６８】
時間における前記メジャー参照点（４１０）および前記マイナー参照点（４２０）の分散は、前記メッセージ（４００）の通信パスの関数である、請求項６１に記載の装置（１０５、２００）。
【請求項６９】
前記メッセージ（７００）は、前記マイナー参照点（７１０）の１つで始まり、メジャー参照点（７２０）で終了する、請求項６１に記載の装置（１０５、２００）。
【請求項７０】
前記メッセージ（８００）は、前記マイナー参照点（８１０）の１つで始まり、前記マイナー参照点（８２０）の別の１つで終了する、請求項６１に記載の装置（１０５、２００）。
【請求項７１】
前記メッセージ（６００）は、メジャー参照点（６３０）をまたぐ、請求項６１に記載の装置（１０５、２００）。
【請求項７２】
前記装置（１０５、２００）は、通信システム（１００）のユーザ機器（１０５、２００）において具現される、請求項６１に記載の装置（１０５、２００）。
【請求項７３】
サブフレーム（４４０）に関連付けられているマイナー参照点（４２０）を識別すること（１１２０）と、
前記サブフレーム（４４０）の境界（４３０）上のマイナー参照点（４２０）をメジャー参照点（４１０）として識別すること（１１２０）と、
前記メジャー参照点（４１０）の間の前記マイナー参照点（４２０）のうちの１つで始まるようメッセージ（４００）を送信すること（１１３０）とを含む、方法（１１００）。
【請求項７４】
前記メジャー参照点（４１０）および前記マイナー参照点（４２０）は、前記メッセージ（４００）に関連付けられている直交周波数分割多重（ＯＦＤＭ）シンボル（４６０）の始めに対応する、請求項７３に記載の方法（１１００）。
【請求項７５】
前記メジャー参照点（９２０）の少なくとも１つでダウンリンク制御情報（ＤＣＩ）フォーマットの完全セット（９１０）を監視し、前記マイナー参照点（９４０）の少なくとも１つでＤＣＩフォーマットの制限付きセット（９３０）を監視すること（１１５０）とをさらに含む、請求項７３に記載の方法（１１００）。
【請求項７６】
前記送信すること（１１３０）は、サブフレーム（４４０）の始めにガード期間を挿入することをさらに含む、請求項７３に記載の方法（１１００）。
【請求項７７】
ハイブリッド自動再送要求プロセスに応じて前記メッセージ（４００）を再送信すること（１１４０）をさらに含む、請求項７３に記載の方法（１１００）。
【請求項７８】
前記送信すること（１１３０）は、前記メッセージ（４００）の期間を選択することをさらに含む、請求項７３に記載の方法（１１００）。
【請求項７９】
前記メジャー参照点（４１０）および前記マイナー参照点（４２０）は、時間で均一に分散される、請求項７３に記載の方法（１１００）。
【請求項８０】
時間における前記メジャー参照点（４１０）および前記マイナー参照点（４２０）の分散は、前記メッセージ（４００）の通信パスの関数である、請求項７３に記載の方法（１１００）。
【請求項８１】
前記メッセージ（７００）は、前記マイナー参照点（７１０）の１つで始まり、メジャー参照点（７２０）で終了する、請求項７３に記載の方法（１１００）。
【請求項８２】
前記メッセージ（８００）は、前記マイナー参照点（８１０）の１つで始まり、前記マイナー参照点（８２０）の別の１つで終了する、請求項７３に記載の方法（１１００）。
【請求項８３】
前記メッセージ（６００）は、メジャー参照点（６３０）をまたぐ、請求項７３に記載の方法（１１００）。
【請求項８４】
前記方法（１１００）は、通信システム（１００）のユーザ機器（１０５、２００）において実行される、請求項７３に記載の方法（１１００）。
【請求項８５】
プロセッサ（２０５）と、
コンピュータプログラムコードを含むメモリ（２１０）とを備え、前記プロセッサ（２０５）、前記メモリ（２１０）、および前記コンピュータプログラムコードは、
サブフレーム（４４０）に関連付けられているマイナー参照点（４２０）を識別することと、
前記サブフレーム（４４０）の境界（４３０）上のマイナー参照点（４２０）をメジャー参照点（４１０）として識別することと、
前記メジャー参照点（４１０）の間の前記マイナー参照点（４２０）のうちの１つで始まるようメッセージ（４００）を送信することとを行うように集合的に動作可能である、装置（１０５、２００）。
【請求項８６】
前記メジャー参照点（４１０）および前記マイナー参照点（４２０）は、前記メッセージ（４００）に関連付けられている直交周波数分割多重（ＯＦＤＭ）シンボル（４６０）の始めに対応する、請求項８５に記載の装置（１０５、２００）。
【請求項８７】
前記メモリ（２１０）および前記コンピュータプログラムコードは、前記プロセッサ（２０５）により、前記装置（１０５、２００）に、前記メジャー参照点（９２０）の少なくとも１つでダウンリンク制御情報（ＤＣＩ）フォーマットの完全セット（９１０）を監視させるように、かつ前記マイナー参照点（９４０）の少なくとも１つでＤＣＩフォーマットの制限付きセット（９３０）を監視させるようにさらに設定される、請求項８５に記載の装置（１０５、２００）。
【請求項８８】
前記メモリ（２１０）および前記コンピュータプログラムコードは、前記プロセッサ（２０５）により、前記装置（１０５、２００）に、サブフレーム（４４０）の始めにガード期間を挿入させるようにさらに設定される、請求項８５に記載の装置（１０５、２００）。
【請求項８９】
前記メモリ（２１０）および前記コンピュータプログラムコードは、前記プロセッサ（２０５）により、前記装置（１０５、２００）に、ハイブリッド自動再送要求プロセスに応じて前記メッセージ（４００）を再送信させるようにさらに設定される、請求項８５に記載の装置（１０５、２００）。
【請求項９０】
前記メモリ（２１０）および前記コンピュータプログラムコードは、前記プロセッサ（２０５）により、前記装置（１０５、２００）に、前記メッセージ（４００）の期間を選択させるようにさらに設定される、請求項８５に記載の装置（１０５、２００）。
【請求項９１】
前記メジャー参照点（４１０）および前記マイナー参照点（４２０）は、時間で均一に分散される、請求項８５に記載の装置（１０５、２００）。
【請求項９２】
時間における前記メジャー参照点（４１０）および前記マイナー参照点（４２０）の分散は、前記メッセージ（４００）の通信パスの関数である、請求項８５に記載の装置（１０５、２００）。
【請求項９３】
前記メッセージ（７００）は、前記マイナー参照点（７１０）の１つで始まり、メジャー参照点（７２０）で終了する、請求項８５に記載の装置（１０５、２００）。
【請求項９４】
前記メッセージ（８００）は、前記マイナー参照点（８１０）の１つで始まり、前記マイナー参照点（８２０）の別の１つで終了する、請求項８５に記載の装置（１０５、２００）。
【請求項９５】
前記メッセージ（６００）は、メジャー参照点（６３０）をまたぐ、請求項８５に記載の装置（１０５、２００）。
【請求項９６】
前記装置（１０５、２００）は、通信システム（１００）のユーザ機器（１０５、２００）において具現される、請求項８５に記載の装置（１０５、２００）。
【請求項９７】
メジャー参照点（４１０）が境界（４３０）とそろえられ、マイナー参照点（４２０）が前記メジャー参照点（４１０）の間の時間に分散されているサブフレーム（４４０）の前記境界（４３０）を識別すること（１２２０）と、
前記メジャー参照点（９２０）の少なくとも１つでダウンリンク制御情報（ＤＣＩ）フォーマットの完全セット（９１０）を監視し、前記マイナー参照点（９４０）の少なくとも１つでＤＣＩフォーマットの制限付きセット（９３０）を監視すること（１２３０）とを含む、方法（１２００）。
【請求項９８】
前記メジャー参照点（４１０）および前記マイナー参照点（４２０）は、メッセージ（４００）に関連付けられている直交周波数分割多重（ＯＦＤＭ）シンボル（４６０）の始めに対応する、請求項９７に記載の方法（１２００）。
【請求項９９】
前記メジャー参照点（４１０）および前記マイナー参照点（４２０）は、時間で均一に分散される、請求項９７に記載の方法（１２００）。
【請求項１００】
時間における前記メジャー参照点（４１０）および前記マイナー参照点（４２０）の分散は、メッセージ（４００）の通信パスの関数である、請求項９７に記載の方法（１２００）。
【請求項１０１】
前記メジャー参照点（４１０）の間の前記マイナー参照点（４２０）のうちの１つで始まるようメッセージ（４００）を送信すること（１２４０）をさらに含む、請求項９７に記載の方法（１２００）。
【請求項１０２】
前記送信すること（１２４０）は、サブフレーム（４４０）の始めにガード期間を挿入することをさらに含む、請求項１０１に記載の方法（１２００）。
【請求項１０３】
ハイブリッド自動再送要求プロセスに応じて前記メッセージ（４００）を再送信すること（１２５０）をさらに含む、請求項１０１に記載の方法（１２００）。
【請求項１０４】
前記送信すること（１２４０）は、前記メッセージ（４００）の期間を選択することをさらに含む、請求項１０１に記載の方法（１２００）。
【請求項１０５】
前記メッセージ（７００）は、前記マイナー参照点（７１０）の１つで始まり、メジャー参照点（７２０）で終了する、請求項１０１に記載の方法（１２００）。
【請求項１０６】
前記メッセージ（８００）は、前記マイナー参照点（８１０）の１つで始まり、前記マイナー参照点（８２０）の別の１つで終了する、請求項１０１に記載の方法（１２００）。
【請求項１０７】
前記メッセージ（６００）は、メジャー参照点（６３０）をまたぐ、請求項１０１に記載の方法（１２００）。
【請求項１０８】
前記方法（１２００）は、通信システム（１００）のユーザ機器（１０５、２００）において実行される、請求項９７に記載の方法（１２００）。
【請求項１０９】
プロセッサ（２０５）と、
コンピュータプログラムコードを含むメモリ（２１０）とを備え、前記プロセッサ（２０５）、前記メモリ（２１０）、および前記コンピュータプログラムコードは、
メジャー参照点（４１０）が境界（４３０）とそろえられ、マイナー参照点（４２０）が前記メジャー参照点（４１０）の間の時間に分散されているサブフレーム（４４０）の前記境界（４３０）を識別することと、
前記メジャー参照点（９２０）の少なくとも１つでダウンリンク制御情報（ＤＣＩ）フォーマットの完全セット（９１０）を監視し、前記マイナー参照点（９４０）の少なくとも１つでＤＣＩフォーマットの制限付きセット（９３０）を監視することとを行うように集合的に動作可能である、装置（１０５、２００）。
【請求項１１０】
前記メジャー参照点（４１０）および前記マイナー参照点（４２０）は、前記メッセージ（４００）に関連付けられている直交周波数分割多重（ＯＦＤＭ）シンボル（４６０）の始めに対応する、請求項１０９に記載の装置（１０５、２００）。
【請求項１１１】
前記メジャー参照点（４１０）および前記マイナー参照点（４２０）は、時間で均一に分散される、請求項１０９に記載の装置（１０５、２００）。
【請求項１１２】
時間における前記メジャー参照点（４１０）および前記マイナー参照点（４２０）の分散は、前記メッセージ（４００）の通信パスの関数である、請求項１０９に記載の装置（１０５、２００）。
【請求項１１３】
前記メモリ（２１０）および前記コンピュータプログラムコードは、前記プロセッサ（２０５）により、前記装置（１０５、２００）に、前記メジャー参照点（４１０）の間の前記マイナー参照点（４２０）の１つで始まるようメッセージ（４００）を送信させるようにさらに設定される、請求項１０９に記載の装置（１０５、２００）。
【請求項１１４】
前記メモリ（２１０）および前記コンピュータプログラムコードは、前記プロセッサ（２０５）により、前記装置（１０５、２００）に、サブフレーム（４４０）の始めにガード期間を挿入させるようにさらに設定される、請求項１１３に記載の装置（１０５、２００）。
【請求項１１５】
前記メモリ（２１０）および前記コンピュータプログラムコードは、前記プロセッサ（２０５）により、前記装置（１０５、２００）に、ハイブリッド自動再送要求プロセスに応じて前記メッセージ（４００）を再送信させるようにさらに設定される、請求項１１３に記載の装置（１０５、２００）。
【請求項１１６】
前記メモリ（２１０）および前記コンピュータプログラムコードは、前記プロセッサ（２０５）により、前記装置（１０５、２００）に、前記メッセージ（４００）の期間を選択させるようにさらに設定される、請求項１１３に記載の装置（１０５、２００）。
【請求項１１７】
前記メッセージ（７００）は、前記マイナー参照点（７１０）の１つで始まり、メジャー参照点（７２０）で終了する、請求項１１３に記載の装置（１０５、２００）。
【請求項１１８】
前記メッセージ（８００）は、前記マイナー参照点（８１０）の１つで始まり、前記マイナー参照点（８２０）の別の１つで終了する、請求項１１３に記載の装置（１０５、２００）。
【請求項１１９】
前記メッセージ（６００）は、メジャー参照点（６３０）をまたぐ、請求項１１３に記載の装置（１０５、２００）。
【請求項１２０】
前記装置（１０５、２００）は、通信システム（１００）のユーザ機器（１０５、２００）において具現される、請求項１０９に記載の装置（１０５、２００）。
【請求項１２１】
サブフレーム（４４０）に関連付けられているマイナー参照点（４２０）を識別すること（１２２０）と、
前記サブフレーム（４４０）の境界（４３０）上のマイナー参照点（４２０）をメジャー参照点（４１０）として識別すること（１２２０）と、
前記メジャー参照点（９２０）の少なくとも１つでダウンリンク制御情報（ＤＣＩ）フォーマットの完全セット（９１０）を監視し、前記マイナー参照点（９４０）の少なくとも１つでＤＣＩフォーマットの制限付きセット（９３０）を監視すること（１２３０）とを含む、方法（１２００）。
【請求項１２２】
前記メジャー参照点（４１０）および前記マイナー参照点（４２０）は、メッセージ（４００）に関連付けられている直交周波数分割多重（ＯＦＤＭ）シンボル（４６０）の始めに対応する、請求項１２１に記載の方法（１２００）。
【請求項１２３】
前記メジャー参照点（４１０）および前記マイナー参照点（４２０）は、時間で均一に分散される、請求項１２１に記載の方法（１２００）。
【請求項１２４】
時間における前記メジャー参照点（４１０）および前記マイナー参照点（４２０）の分散は、メッセージ（４００）の通信パスの関数である、請求項１２１に記載の方法（１２００）。
【請求項１２５】
前記メジャー参照点（４１０）の間の前記マイナー参照点（４２０）のうちの１つで始まるようメッセージ（４００）を送信すること（１２４０）をさらに含む、請求項１２１に記載の方法（１２００）。
【請求項１２６】
前記送信すること（１２４０）は、サブフレーム（４４０）の始めにガード期間を挿入することをさらに含む、請求項１２５に記載の方法（１２００）。
【請求項１２７】
ハイブリッド自動再送要求プロセスに応じて前記メッセージ（４００）を再送信すること（１２５０）をさらに含む、請求項１２５に記載の方法（１２００）。
【請求項１２８】
前記送信すること（１２４０）は、前記メッセージ（４００）の期間を選択することをさらに含む、請求項１２５に記載の方法（１２００）。
【請求項１２９】
前記メッセージ（７００）は、前記マイナー参照点（７１０）の１つで始まり、メジャー参照点（７２０）で終了する、請求項１２５に記載の方法（１２００）。
【請求項１３０】
前記メッセージ（８００）は、前記マイナー参照点（８１０）の１つで始まり、前記マイナー参照点（８２０）の別の１つで終了する、請求項１２５に記載の方法（１２００）。
【請求項１３１】
前記メッセージ（６００）は、メジャー参照点（６３０）をまたぐ、請求項１２５に記載の方法（１２００）。
【請求項１３２】
前記方法（１２００）は、通信システム（１００）のユーザ機器（１０５、２００）において実行される、請求項１２１に記載の方法（１２００）。
【請求項１３３】
プロセッサ（２０５）と、
コンピュータプログラムコードを含むメモリ（２１０）とを備え、前記プロセッサ（２０５）、前記メモリ（２１０）、および前記コンピュータプログラムコードは、
サブフレーム（４４０）に関連付けられているマイナー参照点（４２０）を識別することと、
前記サブフレーム（４４０）の境界（４３０）上のマイナー参照点（４２０）をメジャー参照点（４１０）として識別することと、
前記メジャー参照点（９２０）の少なくとも１つでダウンリンク制御情報（ＤＣＩ）フォーマットの完全セット（９１０）を監視し、前記マイナー参照点（９４０）の少なくとも１つでＤＣＩフォーマットの制限付きセット（９３０）を監視することとを行うように集合的に動作可能である、装置（１０５、２００）。
【請求項１３４】
前記メジャー参照点（４１０）および前記マイナー参照点（４２０）は、前記メッセージ（４００）に関連付けられている直交周波数分割多重（ＯＦＤＭ）シンボル（４６０）の始めに対応する、請求項１３３に記載の装置（１０５、２００）。
【請求項１３５】
前記メジャー参照点（４１０）および前記マイナー参照点（４２０）は、時間で均一に分散される、請求項１３３に記載の装置（１０５、２００）。
【請求項１３６】
時間における前記メジャー参照点（４１０）および前記マイナー参照点（４２０）の分散は、メッセージ（４００）の通信パスの関数である、請求項１３３に記載の装置（１０５、２００）。
【請求項１３７】
前記メモリ（２１０）および前記コンピュータプログラムコードは、前記プロセッサ（２０５）により、前記装置（１０５、２００）に、前記メジャー参照点（４１０）の間の前記マイナー参照点（４２０）の１つで始まるようメッセージ（４００）を送信させるようにさらに設定される、請求項１３３に記載の装置（１０５、２００）。
【請求項１３８】
前記メモリ（２１０）および前記コンピュータプログラムコードは、前記プロセッサ（２０５）により、前記装置（１０５、２００）に、サブフレーム（４４０）の始めにガード期間を挿入させるようにさらに設定される、請求項１３７に記載の装置（１０５、２００）。
【請求項１３９】
前記メモリ（２１０）および前記コンピュータプログラムコードは、前記プロセッサ（２０５）により、前記装置（１０５、２００）に、ハイブリッド自動再送要求プロセスに応じて前記メッセージ（４００）を再送信させるようにさらに設定される、請求項１３７に記載の装置（１０５、２００）。
【請求項１４０】
前記メモリ（２１０）および前記コンピュータプログラムコードは、前記プロセッサ（２０５）により、前記装置（１０５、２００）に、前記メッセージ（４００）の期間を選択させるようにさらに設定される、請求項１３７に記載の装置（１０５、２００）。
【請求項１４１】
前記メッセージ（７００）は、前記マイナー参照点（７１０）の１つで始まり、メジャー参照点（７２０）で終了する、請求項１３７に記載の装置（１０５、２００）。
【請求項１４２】
前記メッセージ（８００）は、前記マイナー参照点（８１０）の１つで始まり、前記マイナー参照点（８２０）の別の１つで終了する、請求項１３７に記載の装置（１０５、２００）。
【請求項１４３】
前記メッセージ（６００）は、メジャー参照点（６３０）をまたぐ、請求項１３７に記載の装置（１０５、２００）。
【請求項１４４】
前記装置（１０５、２００）は、通信システム（１００）のユーザ機器（１０５、２００）において具現される、請求項１３３に記載の装置（１０５、２００）。
【請求項１４５】
ホストアプリケーション（１４１２）を実行するように動作可能であって、
ユーザデータを提供するように設定された処理回路（１４１８）と、
ユーザ機器（１４３０）への送信のために前記ユーザデータをセルラーネットワークに転送するように設定された通信インターフェイス（１４１６）とを備えたホストコンピュータ（１４１０）を含む通信システム（１４００）であって、前記セルラーネットワークは、無線インターフェイス（１４２７）と処理回路（１４２８）とを有する基地局（１４２０）を含み、前記処理回路（１４２８）が、
サブフレーム（４４０）に関連付けられているメジャー参照点（４１０）およびマイナー参照点（４２０）を、
前記メジャー参照点（４１０）が境界（４３０）とそろえられ、前記マイナー参照点（４２０）が前記メジャー参照点（４１０）の間の時間に分散されている前記サブフレーム（４４０）の前記境界（４３０）を識別することによって、または、
前記サブフレーム（４４０）に関連付けられている前記マイナー参照点（４２０）を識別すること、および前記サブフレーム（４４０）の境界（４３０）上の前記マイナー参照点（４２０）を前記メジャー参照点（４１０）として識別することによって、識別することと、
前記メジャー参照点（４１０）の間の前記マイナー参照点（４２０）のうちの１つで始まるようメッセージ（４００）の送信をスケジュールすることとを行うように設定された、通信システム（１４００）。
【請求項１４６】
前記メジャー参照点（４１０）および前記マイナー参照点（４２０）は、前記メッセージ（４００）に関連付けられている直交周波数分割多重（ＯＦＤＭ）シンボル（４６０）の始めに対応する、請求項１４５に記載の通信システム（１４００）。
【請求項１４７】
前記基地局（１４２０）の前記処理回路（１４２８）は、前記メジャー参照点（９２０）の少なくとも１つでダウンリンク制御情報（ＤＣＩ）フォーマットの完全セット（９１０）を提供するように、かつ前記マイナー参照点（９４０）の少なくとも１つでＤＣＩフォーマットの制限付きセット（９３０）を提供するように設定される、請求項１４５に記載の通信システム（１４００）。
【請求項１４８】
前記基地局（１４２０）の前記処理回路（１４２８）は、サブフレーム（４４０）の始めにガード期間を挿入するように設定される、請求項１４５に記載の通信システム（１４００）。
【請求項１４９】
前記基地局（１４２０）の前記処理回路（１４２８）は、前記メッセージ（４００）の前記送信に関連するハイブリッド自動再送要求メッセージの送信をスケジュールするように設定される、請求項１４５に記載の通信システム（１４００）。
【請求項１５０】
前記基地局（１４２０）の前記処理回路（１４２８）は、前記メッセージ（４００）の期間を選択するように設定される、請求項１４５に記載の通信システム（１４００）。
【請求項１５１】
前記メジャー参照点（４１０）および前記マイナー参照点（４２０）は、時間で均一に分散される、請求項１４５に記載の通信システム（１４００）。
【請求項１５２】
時間における前記メジャー参照点（４１０）および前記マイナー参照点（４２０）の分散は、前記メッセージ（４００）の通信パスの関数である、請求項１４５に記載の通信システム（１４００）。
【請求項１５３】
前記メッセージ（７００）は、前記マイナー参照点（７１０）の１つで始まり、メジャー参照点（７２０）で終了する、請求項１４５に記載の通信システム（１４００）。
【請求項１５４】
前記メッセージ（８００）は、前記マイナー参照点（８１０）の１つで始まり、前記マイナー参照点（８２０）の別の１つで終了する、請求項１４５に記載の通信システム（１４００）。
【請求項１５５】
前記メッセージ（６００）は、メジャー参照点（６３０）をまたぐ、請求項１４５に記載の通信システム（１４００）。
【請求項１５６】
ホストアプリケーション（１４１２）を実行するように動作可能であって、
ユーザデータを提供するように設定された処理回路（１４１８）と、
ユーザ機器（１４３０）への送信のために前記ユーザデータをセルラーネットワークに転送するように設定された通信インターフェイス（１４１６）とを備えたホストコンピュータ（１４１０）を含む通信システム（１４００）であって、前記ユーザ機器（１４３０）は、無線インターフェイス（１４３７）と処理回路（１４３８）とを備え、前記処理回路（１４３８）が、
サブフレーム（４４０）に関連付けられているメジャー参照点（４１０）およびマイナー参照点（４２０）を、
前記メジャー参照点（４１０）が境界（４３０）とそろえられ、前記マイナー参照点（４２０）が前記メジャー参照点（４１０）の間の時間に分散されている前記サブフレーム（４４０）の前記境界（４３０）を識別することによって、または、
前記サブフレーム（４４０）に関連付けられている前記マイナー参照点（４２０）を識別すること、および前記サブフレーム（４４０）の境界（４３０）上の前記マイナー参照点（４２０）を前記メジャー参照点（４１０）として識別することによって、識別することと、
前記メジャー参照点（４１０）の間の前記マイナー参照点（４２０）のうちの１つで始まるようメッセージ（４００）を送信すること（１１３０）とを行うように設定された、通信システム（１４００）。
【請求項１５７】
前記メジャー参照点（４１０）および前記マイナー参照点（４２０）は、前記メッセージ（４００）に関連付けられている直交周波数分割多重（ＯＦＤＭ）シンボル（４６０）の始めに対応する、請求項１５６に記載の通信システム（１４００）。
【請求項１５８】
前記ユーザ機器（１４３０）の前記処理回路（１４３８）は、前記メジャー参照点（９２０）の少なくとも１つでダウンリンク制御情報（ＤＣＩ）フォーマットの完全セット（９１０）を監視するように、かつ前記マイナー参照点（９４０）の少なくとも１つでＤＣＩフォーマットの制限付きセット（９３０）を監視するように設定される、請求項１５６に記載の通信システム（１４００）。
【請求項１５９】
前記ユーザ機器（１４３０）の前記処理回路（１４３８）は、サブフレーム（４４０）の始めにガード期間を挿入するように設定される、請求項１５６に記載の通信システム（１４００）。
【請求項１６０】
前記ユーザ機器（１４３０）の前記処理回路（１４３８）は、ハイブリッド自動再送要求プロセスに応じて前記メッセージ（４００）を再送信するように設定される、請求項１５６に記載の通信システム（１４００）。
【請求項１６１】
前記ユーザ機器（１４３０）の前記処理回路（１４３８）は、前記メッセージ（４００）の期間を選択するように設定される、請求項１５６に記載の通信システム（１４００）。
【請求項１６２】
前記メジャー参照点（４１０）および前記マイナー参照点（４２０）は、時間で均一に分散される、請求項１５６に記載の通信システム（１４００）。
【請求項１６３】
時間における前記メジャー参照点（４１０）および前記マイナー参照点（４２０）の分散は、前記メッセージ（４００）の通信パスの関数である、請求項１５６に記載の通信システム（１４００）。
【請求項１６４】
前記メッセージ（７００）は、前記マイナー参照点（７１０）の１つで始まり、メジャー参照点（７２０）で終了する、請求項１５６に記載の通信システム（１４００）。
【請求項１６５】
前記メッセージ（８００）は、前記マイナー参照点（８１０）の１つで始まり、前記マイナー参照点（８２０）の別の１つで終了する、請求項１５６に記載の通信システム（１４００）。
【請求項１６６】
前記メッセージ（６００）は、メジャー参照点（６３０）をまたぐ、請求項１５６に記載の通信システム（１４００）。
【請求項１６７】
ホストアプリケーション（１４１２）を実行するように動作可能であって、
ユーザデータを提供するように設定された処理回路（１４１８）と、
ユーザ機器（１４３０）への送信のために前記ユーザデータをセルラーネットワークに転送するように設定された通信インターフェイス（１４１６）とを備えたホストコンピュータ（１４１０）を含む通信システム（１４００）であって、前記ユーザ機器（１４３０）は、無線インターフェイス（１４３７）と処理回路（１４３８）とを備え、前記処理回路（１４３８）が、
サブフレーム（４４０）に関連付けられているメジャー参照点（４１０）およびマイナー参照点（４２０）を、
前記メジャー参照点（４１０）が境界（４３０）とそろえられ、前記マイナー参照点（４２０）が前記メジャー参照点（４１０）の間の時間に分散されている前記サブフレーム（４４０）の前記境界（４３０）を識別することによって、または、
前記サブフレーム（４４０）に関連付けられている前記マイナー参照点（４２０）を識別すること、および前記サブフレーム（４４０）の境界（４３０）上の前記マイナー参照点（４２０）を前記メジャー参照点（４１０）として識別することによって、識別することと、
前記メジャー参照点（９２０）の少なくとも１つでダウンリンク制御情報（ＤＣＩ）フォーマットの完全セット（９１０）を監視し、前記マイナー参照点（９４０）の少なくとも１つでＤＣＩフォーマットの制限付きセット（９３０）を監視することとを行うように設定された、通信システム（１４００）。
【請求項１６８】
前記メジャー参照点（４１０）および前記マイナー参照点（４２０）は、前記メッセージ（４００）に関連付けられている直交周波数分割多重（ＯＦＤＭ）シンボル（４６０）の始めに対応する、請求項１６７に記載の通信システム（１４００）。
【請求項１６９】
前記メジャー参照点（４１０）および前記マイナー参照点（４２０）は、時間で均一に分散される、請求項１６７に記載の通信システム（１４００）。
【請求項１７０】
時間における前記メジャー参照点（４１０）および前記マイナー参照点（４２０）の分散は、メッセージ（４００）の通信パスの関数である、請求項１６７に記載の通信システム（１４００）。
【請求項１７１】
前記ユーザ機器（１４３０）の前記処理回路（１４３８）は、前記メジャー参照点（４１０）の間の前記マイナー参照点（４２０）のうちの１つで始まるようメッセージ（４００）を送信するように設定される、請求項１６７に記載の通信システム（１４００）。
【請求項１７２】
前記ユーザ機器（１４３０）の前記処理回路（１４３８）は、サブフレーム（４４０）の始めにガード期間を挿入するように設定される、請求項１７１に記載の通信システム（１４００）。
【請求項１７３】
前記ユーザ機器（１４３０）の前記処理回路（１４３８）は、ハイブリッド自動再送要求プロセスに応じて前記メッセージ（４００）を再送信するように設定される、請求項１７１に記載の通信システム（１４００）。
【請求項１７４】
前記ユーザ機器（１４３０）の前記処理回路（１４３８）は、前記メッセージ（４００）の期間を選択するように設定される、請求項１７１に記載の通信システム（１４００）。
【請求項１７４】
前記メッセージ（７００）は、前記マイナー参照点（７１０）の１つで始まり、メジャー参照点（７２０）で終了する、請求項１７１に記載の通信システム（１４００）。
【請求項１７５】
前記メッセージ（８００）は、前記マイナー参照点（８１０）の１つで始まり、前記マイナー参照点（８２０）の別の１つで終了する、請求項１７１に記載の通信システム（１４００）。
【請求項１７６】
前記メッセージ（６００）は、メジャー参照点（６３０）をまたぐ、請求項１７１に記載の通信システム（１４００）。
【発明の詳細な説明】
【技術分野】
【０００１】
本出願は、参照により本明細書に組み込まれている、２０１６年６月２０日に出願した「Ｆｌｅｘｉｂｌｅ  Ｔｒａｎｓｍｉｓｓｉｏｎ  Ｇｒｉｄ」と題する米国仮特許出願第６２／３５２、４４２号明細書の利益を主張するものである。
【０００２】
開示される主題は概して、電気通信に関し、より詳細には、無線アクセス通信システムにおける柔軟な送信スケジューリングに関する。
【背景技術】
【０００３】
提案されるＮｅｗ  Ｒａｄｉｏ（ＮＲ）無線アクセス技術は、直交周波数分割多重（ＯＦＤＭ）に基づくＬｏｎｇ  Ｔｅｒｍ  Ｅｖｏｌｕｔｉｏｎ（ＬＴＥ）技術と類似するものである。ＬＴＥ（およびその他の無線通信方式）における送信は、サブフレームに編成される。ＬＴＥの場合、サブフレームは、１４の連続するＯＦＤＭシンボルから成る。サブフレーム構造は、送信機と受信機の間の共通時間参照、および、たとえばデータと関連する制御シグナリングとの間の関係を説明する構造化された方法をもたらす。メッセージの送信は、サブフレームの始め（またはサブフレームの開始に関連する固定の時間）において開始する。
【０００４】
アップリンク（ＵＬ）およびダウンリンク（ＤＬ）メッセージは通常、スケジュールされる。言い換えれば、時刻ごとにスケジューラは、どのデバイスにメッセージを送信するか、およびどのデバイスがメッセージを送信することになっているかを決定する。これらのスケジューリングの決定は、レイヤ１／レイヤ２（Ｌ１／Ｌ２）制御シグナリングを使用してデバイスに通信される。ＬＴＥにおいて、Ｌ１／Ｌ２制御信号は、各１ミリ秒（ｍｓ）サブフレームの始めに位置している。デバイスは、各サブフレームについて、このデバイスの関連する制御シグナリングを監視している。複数の候補メッセージが、いわゆるブラインドデコーディングを使用して監視されるが、デバイスは各サブフレーム内の複数の候補制御メッセージをデコードしようと試み、これらのメッセージのいずれが当該のデバイスのものであるかを決定する。制御チャネルの候補数が多くなれば、それに応じてネットワーク操作における柔軟性も大きくなる。たとえば、異なるサイズの制御メッセージを潜在的に必要とする異なる特徴をサポートするという点では、ブラインドデコーディングの試みに関してデバイスの複雑性もまた高まる。
【０００５】
データ送信の場合、多くの場合、受信機が誤ったデータの再送信を送信機に要求することができるハイブリッド自動再送要求（ＨＡＲＱ）機能が採用されている。この機能をサポートするため、受信機から送信機（またはスケジューラ）へのＨＡＲＱ肯定応答の形態のフィードバックの必要性がある。レイテンシの観点から、ＨＡＲＱ肯定応答は、データ受信後可能な限り早急に到来すべきである。
【０００６】
サブフレームに関してデータおよび／またはメッセージの送信を規定することは、結果としていくつかの欠点をもたらす。たとえば、送信は、サブフレーム境界のみにおいて開始するよう制限される。したがってサブフレーム期間は、最低可能レイテンシに直接の影響を与える。さらに、アンライセンスのスペクトルにおける動作は、通常、リッスンビフォアトーク手順を必要とする。無線チャネルが使用可能であると判定されると、データ送信は、理想的には可能な限り早急に開始して、その他のユーザ機器がチャネルを奪ってしまうのを回避すべきである。したがって、サブフレーム境界においてのみ開始するよう送信を制限することは、チャネルを奪う可能性、またはダミー信号がサブフレームの開始まで送信される場合には不要なオーバーヘッドを低減させることになる。さらに、緩和された同期化要件を実現するため、サブフレームにおける後のデータ送信を可能にし、それによりサブフレームの始めにガード期間を作り出すことは有益である。データ送信のためのサブフレームの使用に固有の制約は、そのような柔軟性を許容しない。
【発明の概要】
【０００７】
これらおよびその他の問題は概して、通信システムにおけるメッセージの送信をスケジュールするためのシステムおよび方法の本発明の有利な実施形態により、解決されるかまたは回避され、技術的な利点は概ね達成される。実施形態において、方法は、サブフレームに関連付けられているメジャー参照点およびマイナー参照点を識別することを含む。方法はまた、メジャー参照点の間のマイナー参照点のうちの１つで始まるようにメッセージの送信をスケジュールすることを含む。
【０００８】
上記の説明は、後段の本発明の詳細な説明がより深く理解されうるために、本発明の特徴および技法の利点を広範に概説したものである。本発明のさらなる特徴および利点は、これ以降説明されるが、本発明の特許請求の範囲の主題を形成するものである。当業者であれば、開示される概念および固有の実施形態が、本発明の同一の目的を実行するためのその他の構造体またはプロセスの変更または設計のための基礎として容易に活用されうることを理解するはずである。また、当業者であれば、そのような等価の構造体が、添付の特許請求の範囲に示される本発明の精神および範囲を逸脱することがないことも理解されよう。
【０００９】
本開示をより完全に理解するために、これ以降、添付の図面と併せて以下の説明が参照される。
【図面の簡単な説明】
【００１０】
【図１】通信ネットワークの実施形態を示すシステムレベル図である。
【図２】無線通信デバイスの実施形態を示すブロック図である。
【図３】無線アクセスノードの実施形態を示すブロック図である。
【図４】メジャー参照点およびマイナー参照点を時間の関数として説明するタイミング図である。
【図５】メッセージの送信のスケジューリングを説明するタイミング図である。
【図６】メッセージの送信のスケジューリングを説明するタイミング図である。
【図７】メッセージの送信のスケジューリングを説明するタイミング図である。
【図８】メッセージの送信のスケジューリングを説明するタイミング図である。
【図９】ダウンリンク制御情報フォーマットを監視する実施形態を示すタイミング図である。
【図１０】装置を操作する方法の実施形態を示す流れ図である。
【図１１】装置を操作する方法の実施形態を示す流れ図である。
【図１２】装置を操作する方法の実施形態を示す流れ図である。
【図１３】ホストコンピュータに接続された通信ネットワークを含む通信システムの実施形態を示す概略図である。
【図１４】通信システムの実施形態を示すブロック図である。
【発明を実施するための形態】
【００１１】
さまざまな図面内の対応する数表示および符号は概して、特に指示のない限り、対応する部分を参照し、最初の事例の後は簡略にするために再記述されることはない。図面は、例示的な実施形態の関連する態様を例示するために描かれる。
【００１２】
以下の説明は、開示される主題のさまざまな実施形態を提示する。これらの実施形態は、教示の例として提示され、開示される主題の範囲を限定するものとして解釈されるべきではない。たとえば、説明される実施形態の特定の詳細は、説明される主題の範囲を逸脱することなく、変更、省略、または増補されてもよい。
【００１３】
概して、開示される主題は、無線アクセス通信ネットワークまたはシステムにおいて動作可能である無線通信ノードおよび／またはデバイスの間（たとえば、モバイル無線通信デバイスと無線アクセスノードの間、または２つのモバイル無線通信デバイスの間）のデータおよび／またはメッセージの送信を柔軟にスケジュールするためのシステムおよび方法を提供する。１つの例において、無線アクセスノードのスケジューラは、データ送信をスケジュールするために、複数の異なる送信間隔長さ、送信間隔開始時間、および／または送信間隔終了時間から選択するように動作可能である。送信間隔は、メジャーおよびマイナー時間参照点またはティックを参照して規定され、送信間隔の相対的スペーシングおよび数はまた、異なるリンクタイプおよび目的に従って柔軟に設定されてもよい。特定の実施形態において、スケジューラは、アップリンクおよび／またはダウンリンクで送信中の無線アクセスノードに位置している。あるいは、スケジューラは、アップリンク／ダウンリンクで送信中／受信中の無線アクセスノードおよび無線通信デバイスとは別個の第３のノードに位置している。
【００１４】
異なる送信間隔長さ、開始時間、終了時間、およびタイミング参照点の使用は、いくつかの利点をもたらす。たとえば、送信は、サブフレーム境界においてのみ開始する必要はなく、それによりレイテンシが改善する。さらに、アンライセンスのスペクトルのコンテキストにおいて使用される場合、システムは、オーバーヘッドを追加するダミー信号の使用を行わずにチャネルを獲得する可能性を高めることになる。さらに、サブフレームにおける後のデータ送信は、サブフレームの始めにガード期間を作り出す。
【００１５】
最初に図１を参照すると、示されているのは、複数の無線通信デバイス１０５（たとえば、通常のユーザ機器（ＵＥ））、マシンタイプ通信（ＭＴＣ）／マシンツーマシン（Ｍ２Ｍ）デバイス、および複数の無線アクセスノード１１０（たとえば、エボルブドノードＢ（ｅＮｏｄｅＢ）またはその他の基地局）を含む通信ネットワーク（たとえば、ＬＴＥネットワーク）またはシステム１００の実施形態のシステムレベル図である。通信ネットワーク１００は、対応する無線アクセスノード１１０を介してコアネットワーク１２０に接続されるセル１１５で編成される。無線アクセスノード１１０は、無線通信デバイス１０５と通信すること、および無線通信デバイス間または無線通信デバイスと（固定電話のような）別の通信デバイスとの間の通信をサポートするのに適切な任意の追加の要素と通信することができる。
【００１６】
無線通信デバイス１０５は、ハードウェアおよび／またはソフトウェアの任意の適切な組合せを含む通信デバイスを表すことができるが、無線通信デバイス１０５は、特定の実施形態において、図２によってさらに詳細に説明される無線通信デバイスのようなデバイスを表すことができる。同様に、無線アクセスノード１１０は、ハードウェアおよび／またはソフトウェアの任意の適切な組合せを含むネットワークノードを表すことができるが、無線アクセスノード１１０は、特定の実施形態において、図３によってさらに詳細に説明される無線アクセスノードのようなデバイスを表すことができる。
【００１７】
図２を参照すると、示されているのは、プロセッサ２０５、メモリ２１０、送受信機２１５、およびアンテナ２２０を含む無線通信デバイス２００の実施形態のブロック図である。特定の実施形態において、ＵＥ、ＭＴＣまたはＭ２Ｍデバイス、および／または任意のその他のタイプの無線通信デバイスによって提供されるものとして説明される機能の一部または全部は、図２に示されるメモリ２１０のような、コンピュータ可読媒体に格納された命令を実行するデバイスプロセッサによって提供されてもよい。代替的な実施形態は、本明細書において説明される機能のいずれかを含む、デバイスの機能の特定の態様を提供することに責任を負う、図２に示されるコンポーネント以外の追加のコンポーネントを含むことができる。
【００１８】
図３を参照すると、示されているのは、ノードプロセッサ３０５、メモリ３１０、ネットワークインターフェイス３１５、送受信機３２０、およびアンテナ３２５を含む無線アクセスノード３００の実施形態のブロック図である。特定の実施形態において、基地局、ノードＢ、ｅＮｏｄｅＢ、および／または任意のその他のタイプのネットワークノードによって提供されるものとして説明される機能の一部または全部は、図３に示されるメモリ３１０のような、コンピュータ可読媒体に格納された命令を実行するノードプロセッサ３０５によって提供されてもよい。たとえば、スケジューラは、命令を実行するノードプロセッサ３０５および／または追加のプロセッサ（図示せず）を使用して実施されてもよい。無線アクセスノード３００の代替的な実施形態は、本明細書において説明される機能および／または関連するサポート機能のような、追加の機能を提供するために追加のコンポーネントを含むことができる。
【００１９】
処理デバイスの１つまたは複数により実施されうるプロセッサは、アンテナゲイン／位相パラメータのプリコーディング、通信メッセージを形成する個々のビットのエンコーディングおよびデコーディング、情報のフォーマッティング、ならびにそれぞれの通信デバイスの全体的制御を、非制限的に含む操作に関連付けられている機能を実行する。通信リソースの管理に関連する例示的な機能は、ハードウェア設置、トラフィック管理、パフォーマンスデータ分析、設定管理、セキュリティ、課金などを、非制限的に含む。プロセッサは、ローカルアプリケーション環境に適切な任意のタイプであってもよく、非限定的な例として、汎用コンピュータ、特殊目的コンピュータ、マイクロプロセッサ、デジタル信号プロセッサ（「ＤＳＰ」）、フィールドプログラマブルゲートアレイ（「ＦＰＧＡ」）、特定用途向け集積回路（「ＡＳＩＣ」）、およびマルチコアプロセッサに基づくプロセッサのうちの１つまたは複数を含むことができる。
【００２０】
メモリは、１つまたは複数のメモリであってもよく、ローカルアプリケーション環境に適切な任意のタイプであってもよく、半導体ベースのメモリデバイス、磁気メモリデバイスおよびシステム、光学メモリデバイスおよびシステム、固定式メモリおよび取り外し可能メモリのような、任意の適切な揮発性または不揮発性のデータストレージ技術を使用して実施されてもよい。メモリに格納されているプログラムは、関連するプロセッサによって実行されるとき、それぞれの通信デバイスがその意図されるタスクを実行できるようにするプログラム命令またはコンピュータプログラムコードを含むことができる。いうまでもなく、メモリは、相互に送信されるデータのデータバッファを形成することができる。本明細書において説明されるシステム、サブシステム、およびモジュールの例示的な実施形態は、プロセッサによって実行可能なコンピュータソフトウェア、またはハードウェア、またはそれらの組合せによって、少なくとも部分的に実施されてもよい。
【００２１】
送受信機は、別の通信デバイスへのそれぞれのアンテナを介するそれぞれの通信デバイスによる送信のために、情報をキャリア波形に変調する。それぞれの送受信機は、その他の通信デバイスによるさらなる処理のために、アンテナを介して受信された情報を復調する。送受信機は、それぞれの通信デバイスのために二重動作をサポートすることができる。ネットワークインターフェイスは、コアネットワークと通信する送受信機と類似した機能を実行する。
【００２２】
実施形態において、本明細書において「マイナーティック」と称される、（通常均一またはほぼ均一に）間隔をあけた時間インスタンスまたは参照点のセットは、たとえばスケジューラによって規定される。マイナーティックは、ＯＦＤＭシンボルの開始に対応することができるが、たとえばＯＦＤＭシンボル２つごと、または３つごとを示すこともできる。加えて、本明細書において「メジャーティック」と称される、時間インスタンスまたは参照点のセットは、たとえばスケジューラによって規定される。メジャーティックおよびマイナーティックは、本明細書において集合的に「クロックティック」と称される。メジャーティックは、マイナーティックのサブセットである。たとえは、Ｎマイナーティックごとは、メジャーティックであってもよい（たとえば、Ｎ＝１４はＬＴＥ構造を説明するために使用されうる）が、その他の、メジャーティックを指し示す、場合によっては変則的な方法が実施されてもよい。２つのメジャーティックの間の間隔は、「サブフレーム」と示されてもよい。
【００２３】
これ以降図４を参照すると、示されているのは、メジャー参照点（そのうち１つは４１０と指定されている）およびマイナー参照点（そのうち１つは４２０と指定されている）を時間の関数として説明するタイミング図である。メジャー参照点４１０は、サブフレーム（そのうち１つは４４０と指定されている）の境界（そのうち２つは４３０、４５０と指定されている）にそろえられている。１つの観点からは、マイナー参照点４２０は、メジャー参照点４１０の間の時間に分散されている。別の観点からは、サブフレーム４４０の境界４３０上のマイナー参照点４２０は、メジャー参照点４１０として示される。メッセージ４００は、メジャー参照点４１０の間のマイナー参照点４２０のうちの１つで始まるように設定される。サブフレーム４４０内の各セクションは、メッセージ４００のＯＦＤＭシンボル４６０を表すことができる。以下のサブセクションにおいて、異なっているが関連するいくつかの実施形態について説明される。時間軸に沿ったメジャーおよびマイナー参照点またはティックの規定は、各々の実施形態の固有の要件に対して異なって適応されてもよく、したがって、必ずしも同じ時刻を表す必要はない（つまり、均一に分散される必要はない）。しかし、図４に示されるように、参照点は時間で均一に分散される。
【００２４】
さらに、簡単にするため、「ダウンリンク」および「アップリンク」という用語は、本明細書において、無線アクセスノード（たとえば、基地局）によりスケジュールされ、無線アクセスノードから送信されるダウンリンク送信、および無線アクセスノードによってスケジュールされるが、無線通信デバイスから送信されるアップリンク送信のセルラー送信のみに実施形態を限定することなく使用される。たとえば、直接のデバイスツーデバイスのシナリオにおいて、ダウンリンクは、送信をスケジュールする（開始する）ノードからのデータ送信に対応し、アップリンクデータ送信は、スケジューリングに責任を負わないノードからの送信に対応する。もう１つの実施形態において、スケジューラは、それぞれダウンリンクおよびアップリンク方向に送信するノードとは別個の、第３のノードに位置している。
【００２５】
データ送信は、マイナーティックのセットにおいて開始し、（場合によっては変化する）マイナーティックの数（本明細書において「間隔Ｂ」と示される）に及ぶようにスケジュールされてもよい。言い換えれば、メッセージの長さは、間隔Ｂで指定される。間隔Ｂが（たとえば、異なるＯＦＤＭシンボル期間により）一部のマイナーティックについて異なる長さになりうることに留意されたい。間隔Ｂを表すデータ送信のマイナーティックのセットは、設定可能であるかまたは事前規定済みであってもよい（たとえば、スケジューラは間隔Ｂの開始について任意のマイナーティックから選択し、間隔Ｂのマイナーティックの数を選択することができる）。したがって、間隔Ｂは、マイナーティックの数および／またはマイナーティック間の時間の結果として異なる長さを有してもよい。
【００２６】
これ以降図５から図８を参照すると、示されているのは、メッセージの送信のスケジューリングを説明するタイミング図である。図５において、スケジューラは、サブフレーム５１０と一致するように間隔Ｂの開始および終了を選択する。言い換えると、データ送信（またはメッセージ５００）は、サブフレーム境界（メジャーティック５２０、５４０と一致する）において開始し、サブフレーム長さと等しい期間（つまり、サブフレーム）５１０と等しい期間を有する。サブフレーム５１０内の各セクションは、メッセージ５００のＯＦＤＭシンボル５３０を表すことができる。しかし、その他の可能な間隔Ｂ設定が選択されてもよい。基本的に、２つの必ずしも一致しないサブフレーム構造があり、１つは図面の水平軸に沿った時間軸（参照点またはティック）を説明するものであり、１つは送信済みのメッセージまたはデータを説明するものである。
【００２７】
図５に示される間隔Ｂ設定オプションは、たとえばモバイルブロードバンドに使用されてもよい。時分割複信（ＴＤＤ）において、間隔Ｂは、アップリンク送信のためのスペースを空けるためにメジャーティックの前に終了してもよい。図６に示されるもう１つの間隔Ｂ設定において、（メッセージ６００の）間隔Ｂは、メジャーティックではなく、マイナーティック（６１０、６２０と指定される）で開始および終了する（つまり、メジャーティック６３０にまたがる）ように選択される。そのような間隔Ｂ設定は、空き無線チャネルを見出すためにリッスンビフォアトーク手順を使用した直後に送信が開始する、アンライセンスの操作には有用となりうる。図７の第３の間隔Ｂ設定において、間隔Ｂの開始はメジャーティックにそろえられていないが、終了はそろえられており、このこともまたアンライセンスの操作に有用となりうる。言い換えれば、メッセージ７００は、マイナーティック７１０で始まり、メジャーティック７２０で終了する。図８の第４の間隔Ｂ設定において、間隔Ｂの開始はメジャーティックにそろえられておらず、比較的短い（たとえば、メッセージ８００は、２つのマイナーティック８１０、８２０の期間に及ぶ）。そのような間隔Ｂ設定は、データ送信が時を選ばず開始できる、レイテンシ重視のサービスを提供する際に有用となりうる。したがって、スケジューラは、開始および終了時間を選択するだけではなく、メッセージの期間も選択することができる。
【００２８】
これ以降図９を参照すると、示されているのは、ダウンリンク制御情報（ＤＣＩ）フォーマットを監視する実施形態を示すタイミング図である。ダウンリンクデータ送信は、各ダウンリンク送信の始めに通常行われる制御情報を伴う関連する制御シグナリングのシグナリングを採用する。したがって、さらに頻繁なスケジューリングの決定の可能性は、デバイスの潜在的な制御チャネル候補のブラインドデコーディングにおけるコストの増大につながる。同時に、完全なスケジューリングの柔軟性は、レイテンシ重視のサービスのようなすべてのサービスタイプに必要とされるわけではない。たとえば、あらゆる種類のマルチアンテナ方式または最大幅のスケジューリング帯域幅は、このタイプの送信には必要とされないこともある。その結果として、より少ない数のＤＣＩフォーマットがサービスを監視することになる。
【００２９】
このことは、ＤＣＩフォーマットの全セット（９１０と指定されるうちの１つ）がメジャーティック（９２０と指定されるうちの１つ）またはメジャーティック９２０のサブセットについて監視されるように、活用されうる。間欠受信（ＤＲＸ）パターンは、ユーザ機器がメジャーティック９２０のサブセットにおいてのみＤＣＩフォーマットを監視するように適用されうる。ＤＣＩフォーマットの制限付きセット（９３０と指定されるうちの１つ）は、マイナーティック（９４０と指定されるうちの１つ）またはマイナーティック９４０のサブセットについて監視される。減少したＤＣＩフォーマットが監視されるマイナーティック９４０のセットは、設定されうる（たとえば、無線リソース制御（ＲＲＣ）シグナリング）かまたは、技術的仕様の一部のように事前規定されうる。１つの可能性は、制限付きセットが設定されるまで、空の制限付きセット（つまり、ＤＣＩ監視なし）を有することである。加えて、ＤＣＩフォーマットの制限付きセット９３０は通常、ＤＣＩフォーマットの全セット９１０のサブセットであるが、必ずしもそうではない。制限付きセットはまた、完全サブセット（つまり適正なサブセットではない）と類似することもある。
【００３０】
１つの実施形態において、メジャーティックは、サブフレームの開始（たとえば、１ｍｓごと）に対応し、マイナーティックは、ＯＦＤＭシンボルごと（１／１４ｍｓごと）に対応する。もう１つの実施形態において、メジャーティックは、たとえば、１０ｍｓごとに開始する無線フレームに対応し、マイナーティックは、ＯＦＤＭシンボル（のセット）に対応する。
【００３１】
システム情報は、無線アクセスネットワークにアクセスするために採用されうる情報である。そのような情報は、通常、レイテンシ重視ではない。したがって、大部分またはマイナーティックごとではなく、メジャーティック（またはそのサブセット）においてシステム情報に関連するＤＣＩフォーマットを監視することで十分である。同一または類似する手法は、ページングメッセージ、電力制御コマンド、およびさまざまな再設定メッセージに適用されてもよい。
【００３２】
ダウンリンクデータの送信は通常、ＨＡＲＱ肯定応答の形態の応答を暗示する。ＨＡＲＱ肯定応答のタイミングは、間隔Ｂに関連して（たとえば、肯定応答のレイテンシを低減するために間隔Ｂの終わりに関連して）決定されるか、または２）（複数のデバイスからの肯定応答が基地局受信点において時間的にそろえられることを保証するため）メジャーティックに関連して決定されてもよい。使用されるべきタイミング関係は、上位層シグナリング（たとえば、ＲＲＣシグナリング）、メディアアクセス制御（ＭＡＣ）シグナリングを使用して設定されてもよいか、またはＤＣＩの一部として動的にシグナリングされてもよい。
【００３３】
アップリンク送信は通常スケジュールされる。ダウンリンクにおいて受信されるスケジューリンググラントは、グラントによって制御される際にアップリンクにおけるデータの送信を暗示する。送信の開始および／または終了は、スケジューリンググラントの受信に関連して、またはメジャーティックに関連して決定されてもよい。使用すべきタイミング関係は、上位層シグナリング（たとえば、ＲＲＣシグナリング）、ＭＡＣシグナリング、またはＤＣＩの一部としての動的なシグナリングを使用して設定されてもよい。直接スケジュールされないアップリンク送信のリソース（たとえば、ランダムアクセス、コンテンションベースのアップリンク送信、およびグラントフリー送信）は、メジャーまたはマイナーティックグリッドのいずれかに関連して規定されてもよい。
【００３４】
Ｎｅｗ  Ｒａｄｉｏキャリアは、たとえば、ＯＦＤＭ送信を異なるサブキャリアスペーシングまたはサイクリックプレフィックスと混合することによって、複数の数秘術をサポートすることができる。したがって、複数の数秘術をサポートする任意のデバイス／（ネットワーク）ノードは、複数のマイナーティックグリッドを有することができるが、引き続き単一のメジャーティックグリッドを保持することができる。シンボルをそろえることで（つまり、より広いサブキャリアのスペーシングを備える数秘学のＯＦＤＭシンボル（より短いシンボル）整数がより長い（より狭いサブキャリアスペーシング）のＯＦＤＭシンボルを除算する）、より小さい細分性のマイナーティックグリッドが、より大きい細分性のマイナーティックグリッドのサブセットとなりうる。
【００３５】
ノードおよびデバイスは、異なるリンクタイプに対して異なるタイミングを有することができる。たとえば、無線通信デバイスにおいて、アップリンク（ＵＬ）は、ダウンリンク（ＤＬ）に対してタイミングが先行している。無線アクセスノードにおいて、ＵＬ受信は、ＤＬ−ＵＬガード期間を使用可能にするためにＤＬに対してわずかに時間が先行しており、サイドリンクはＵＬ／ＤＬタイミングには関連しない各自のローカル同期を有することができる。送信スケジューリングのために時間軸上のメジャーおよびマイナーティックを使用する方法および原理は、任意のリンクタイプに適用可能である。さらに、デバイスまたはノードは、少なくともリンクタイプ間のタイミングが無関係である場合、異なるリンクタイプに複数のメジャーおよびマイナーティックグリッドを使用することができる。
【００３６】
さらに、異なるリンク間のタイミングの相違を考慮するため、グリッド自体が異なっていてもよい。たとえば、アラームセンサーは、ＵＬが可能な限り小さい遅延でアラームを送信するように精細なマイナーティックグリッドを有することもできる。ＤＬ送信は、あまり重要ではない場合があるので、細分性の低いマイナーティックグリッドがＤＬにおいては十分であってもよい。
【００３７】
これ以降図１０を参照すると、示されているのは、無線アクセスノードのような（たとえば、通信システム１００の基地局１１０、３００、図１および図３を参照）装置を操作する方法１０００の実施形態の流れ図である。方法１０００は、特定の順序の例示のステップまたはモジュールで説明されるが、そのうちのいくつかは除去されてもよいか、またはステップもしくはモジュールがアプリケーションの指示により再配列されてもよい。方法１０００は、開始ステップまたはモジュール１０１０から始まる。方法１０００は、ステップまたはモジュール１０２０において、サブフレームに関連付けられているメジャーおよびマイナー参照点を識別することを含む。識別することは、メジャー参照点が境界とそろえられ、マイナー参照点がメジャー参照点の間の時間に分散されているサブフレームの境界を識別することを含むことができる。識別することは、サブフレームに関連付けられているマイナー参照点を識別すること、およびサブフレームの境界上のマイナー参照点をメジャー参照点として識別することを含むことができる。メジャー参照点およびマイナー参照点は、メッセージに関連付けられているＯＦＤＭシンボルの始めに対応することができる。メジャー参照点およびマイナー参照点は、時間で均一に分散されてもよい。時間におけるメジャー参照点およびマイナー参照点の分散は、メッセージの通信パスの関数であってもよい。
【００３８】
ステップまたはモジュール１０３０において、方法１０００は、メジャー参照点の間のマイナー参照点のうちの１つで始まるようにメッセージの送信をスケジュールすることを含む。メッセージ７００は、マイナー参照点の１つで始まり、メジャー参照点で終了することができる。メッセージは、マイナー参照点の１つで始まり、マイナー参照点の別の１つで終了することができる。メッセージは、メジャー参照点をまたぐことができる。スケジュールすることは、サブフレームの始めにガード期間を挿入することを含むことができる。スケジュールすることは、メッセージの期間を選択することを含むことができる。
【００３９】
方法１０００はまた、ステップまたはモジュール１０４０において、メッセージの送信に関連するハイブリッド自動再送要求（ＨＡＲＱ）メッセージの送信をスケジュールすることを含む。方法１０００はまた、ステップまたはモジュール１０５０において、メジャー参照点の少なくとも１つでＤＣＩフォーマットの完全セットを提供すること、およびマイナー参照点の少なくとも１つでＤＣＩフォーマットの制限付きセットを提供することも含む。方法１０００は、終了ステップまたはモジュール１０６０で終了する。
【００４０】
これ以降図１１を参照すると、示されているのは、無線通信デバイスのような（たとえば、通信システム１００のユーザ機器１０５、２００、図１および図２を参照）装置を操作する方法１１００の実施形態の流れ図である。方法１１００は、特定の順序の例示のステップまたはモジュールで説明されるが、そのうちのいくつかは除去されてもよいか、またはステップもしくはモジュールがアプリケーションの指示により再配列されてもよい。方法１１００は、開始ステップまたはモジュール１１１０から始まる。方法１１００は、ステップまたはモジュール１１２０において、サブフレームに関連付けられているメジャーおよびマイナー参照点を識別することを含む。識別することは、メジャー参照点が境界とそろえられ、マイナー参照点がメジャー参照点の間の時間に分散されているサブフレームの境界を識別することを含むことができる。識別することは、サブフレームに関連付けられているマイナー参照点を識別すること、およびサブフレームの境界上のマイナー参照点をメジャー参照点として識別することを含むことができる。メジャー参照点およびマイナー参照点は、メッセージに関連付けられているＯＦＤＭシンボルの始めに対応することができる。メジャー参照点およびマイナー参照点は、時間で均一に分散されてもよい。時間におけるメジャー参照点およびマイナー参照点の分散は、メッセージの通信パスの関数であってもよい。
【００４１】
ステップまたはモジュール１１３０において、方法１１００は、メジャー参照点の間のマイナー参照点のうちの１つで始まるようにメッセージを送信することを含む。メッセージは、マイナー参照点の１つで始まり、メジャー参照点で終了することができる。メッセージは、マイナー参照点の１つで始まり、マイナー参照点の別の１つで終了することができる。メッセージは、メジャー参照点をまたぐことができる。送信することは、サブフレームの始めにガード期間を挿入することを含むことができる。送信することは、メッセージの期間を選択することを含むことができる。
【００４２】
エラーが生じた場合、方法１１００はまた、ステップまたはモジュール１１４０において、ハイブリッド自動再送要求（ＨＡＲＱ）プロセスに応じてメッセージを再送信することも含む。方法１１００はまた、ステップまたはモジュール１１５０において、メジャー参照点の少なくとも１つでＤＣＩフォーマットの完全セットを監視すること、およびマイナー参照点の少なくとも１つでＤＣＩフォーマットの制限付きセットを監視することも含む。方法１１００は、終了ステップまたはモジュール１１６０で終了する。
【００４３】
これ以降図１２を参照すると、示されているのは、無線通信デバイスのような（たとえば、通信システム１００のユーザ機器１０５、２００、図１および図２を参照）装置を操作する方法１２００の実施形態の流れ図である。方法１２００は、特定の順序の例示のステップまたはモジュールで説明されるが、そのうちのいくつかは除去されてもよいか、またはステップもしくはモジュールがアプリケーションの指示により再配列されてもよい。方法１２００は、開始ステップまたはモジュール１２１０から始まる。方法１２００は、ステップまたはモジュール１２２０において、サブフレームに関連付けられているメジャーおよびマイナー参照点を識別することを含む。識別することは、メジャー参照点が境界とそろえられ、マイナー参照点がメジャー参照点の間の時間に分散されているサブフレームの境界を識別することを含むことができる。識別することは、サブフレームに関連付けられているマイナー参照点を識別すること、およびサブフレームの境界上のマイナー参照点をメジャー参照点として識別することを含むことができる。メジャー参照点およびマイナー参照点は、メッセージに関連付けられているＯＦＤＭシンボルの始めに対応することができる。メジャー参照点およびマイナー参照点は、時間で均一に分散されてもよい。時間におけるメジャー参照点およびマイナー参照点の分散は、メッセージの通信パスの関数であってもよい。
【００４４】
ステップまたはモジュール１２３０において、方法１２００は、メジャー参照点の少なくとも１つでＤＣＩフォーマットの完全セットを監視すること、およびマイナー参照点の少なくとも１つでＤＣＩフォーマットの制限付きセットを監視することも含む。ステップまたはモジュール１２４０において、方法１２００はまた、メジャー参照点の間のマイナー参照点のうちの１つで始まるようにメッセージを送信することも含む。メッセージは、マイナー参照点の１つで始まり、メジャー参照点で終了することができる。メッセージは、マイナー参照点の１つで始まり、マイナー参照点の別の１つで終了することができる。メッセージは、メジャー参照点をまたぐことができる。送信することは、サブフレームの始めにガード期間を挿入することを含むことができる。送信することは、メッセージの期間を選択することを含むことができる。エラーが生じた場合、方法１２００はまた、ステップまたはモジュール１２５０において、ハイブリッド自動再送要求（ＨＡＲＱ）プロセスに応じてメッセージを再送信することも含む。方法１２００は、終了ステップまたはモジュール１２６０で終了する。
【００４５】
説明される実施形態は、任意の適切な通信標準をサポートし、任意の適切なコンポーネントを使用する、任意の適切なタイプの通信システムにおいて実施されてもよい。１つの例として、特定の実施形態は、図１に示されるような、ＬＴＥネットワークにおいて実施されてもよい。
【００４６】
引き続き前述の図面を参照すると、プロセッサ（３０５）およびコンピュータプログラムコードを有するメモリ（３１０）を含む装置（１１０、３００）が、本明細書において紹介されている。メモリ（３１０）およびコンピュータプログラムコードは、プロセッサ（３０５）により、本明細書において示されるアクションを装置（１１０、３００）に実行させるように設定される。１つの実施形態において、装置（１１０、３００）は、メジャー参照点（４１０）が境界（４３０）とそろえられ、マイナー参照点（４２０）がメジャー参照点（４１０）の間の時間に分散されているサブフレーム（４４０）の境界（４３０）を識別するように動作可能である（または設定される）。あるいは、装置（１１０、３００）は、サブフレーム（４４０）に関連付けられているマイナー参照点（４２０）を識別するように、かつサブフレーム（４４０）の境界（４３０）上のマイナー参照点（４２０）をメジャー参照点（４１０）として識別するように動作可能である。
【００４７】
メジャー参照点（４１０）およびマイナー参照点（４２０）は、メッセージ（４００）に関連付けられている直交周波数分割多重（ＯＦＤＭ）シンボル（４６０）の始めに対応することができる。メジャー参照点（４１０）およびマイナー参照点（４２０）は、時間で均一に分散されてもよい。時間におけるメジャー参照点（４１０）およびマイナー参照点（４２０）の分散は、メッセージ（４００）の通信パスの関数であってもよい。
【００４８】
装置（１１０、３００）は、メジャー参照点（４１０）の間のマイナー参照点（４２０）のうちの１つで始まるようメッセージ（４００）の送信をスケジュールするように動作可能である。メッセージ（７００）は、マイナー参照点（７１０）の１つで始まり、メジャー参照点（７２０）で終了することができる。メッセージ（８００）は、マイナー参照点（８１０）の１つで始まり、マイナー参照点（８２０）の別の１つで終了することができる。メッセージ（６００）は、メジャー参照点（６３０）をまたぐことができる。装置（１１０、３００）は、メッセージ（４００）の送信に従ってサブフレーム（４４０）の始めにガード期間を挿入するように動作可能である。装置（１１０、３００）は、メッセージ（４００）の送信に従ってメッセージ（４００）の期間を選択するように動作可能である。
【００４９】
装置（１１０、３００）は、メッセージ（４００）の送信に関連するハイブリッド自動再送要求メッセージの送信をスケジュールするように動作可能である。装置（１１０、３００）は、メジャー参照点（９２０）の少なくとも１つでダウンリンク制御情報（ＤＣＩ）フォーマットの完全セット（９１０）を提供するように、かつマイナー参照点（９４０）の少なくとも１つでＤＣＩフォーマットの制限付きセット（９３０）を提供するように動作可能である。装置（１１０、３００）は、通信システム（１００）の無線アクセスノード（１１０、３００）において具現されてもよい。
【００５０】
引き続き前述の図面を参照すると、プロセッサ（２０５）およびコンピュータプログラムコードを有するメモリ（２１０）を含む装置（１０５、２００）が、本明細書において紹介されている。メモリ（２１０）およびコンピュータプログラムコードは、プロセッサ（２０５）により、本明細書において示されるアクションを装置（１０５、２００）に実行させるように設定される。１つの実施形態において、装置（１０５、２００）は、メジャー参照点（４１０）が境界（４３０）とそろえられ、マイナー参照点（４２０）がメジャー参照点（４１０）の間の時間に分散されているサブフレーム（４４０）の境界（４３０）を識別するように動作可能である（または設定される）。あるいは、装置（１０５、２００）は、サブフレーム（４４０）に関連付けられているマイナー参照点（４２０）を識別するように、かつサブフレーム（４４０）の境界（４３０）上のマイナー参照点（４２０）をメジャー参照点（４１０）として識別するように動作可能である。
【００５１】
メジャー参照点（４１０）およびマイナー参照点（４２０）は、メッセージ（４００）に関連付けられている直交周波数分割多重（ＯＦＤＭ）シンボル（４６０）の始めに対応することができる。メジャー参照点（４１０）およびマイナー参照点（４２０）は、時間で均一に分散されてもよい。時間におけるメジャー参照点（４１０）およびマイナー参照点（４２０）の分散は、メッセージ（４００）の通信パスの関数であってもよい。
【００５２】
装置（１０５、２００）は、メジャー参照点（４１０）の間のマイナー参照点（４２０）のうちの１つで始まるようメッセージ（４００）送信するように動作可能である。メッセージ（７００）は、マイナー参照点（７１０）の１つで始まり、メジャー参照点（７２０）で終了することができる。メッセージ（８００）は、マイナー参照点（８１０）の１つで始まり、マイナー参照点（８２０）の別の１つで終了することができる。メッセージ（６００）は、メジャー参照点（６３０）をまたぐことができる。装置（１０５、２００）は、メッセージ（４００）の送信に従ってサブフレーム（４４０）の始めにガード期間を挿入するように動作可能である。装置（１０５、２００）は、メッセージ（４００）の送信に従ってメッセージ（４００）の期間を選択するように動作可能である。
【００５３】
装置（１０５、２００）は、ハイブリッド自動再送要求プロセスに応じてメッセージ（４００）を再送信するように動作可能である。装置（１０５、２００）は、メジャー参照点（９２０）の少なくとも１つでダウンリンク制御情報（ＤＣＩ）フォーマットの完全セット（９１０）を監視するように、かつマイナー参照点（９４０）の少なくとも１つでＤＣＩフォーマットの制限付きセット（９３０）を監視するように動作可能である。装置（１０５、２００）は、通信システム（１００）のユーザ機器（１０５、２００）において具現されてもよい。
【００５４】
引き続き前述の図面を参照すると、プロセッサ（２０５）およびコンピュータプログラムコードを有するメモリ（２１０）を含む装置（１０５、２００）が、本明細書において紹介されている。メモリ（２１０）およびコンピュータプログラムコードは、プロセッサ（２０５）により、本明細書において示されるアクションを装置（１０５、２００）に実行させるように設定される。１つの実施形態において、装置（１０５、２００）は、メジャー参照点（４１０）が境界（４３０）とそろえられ、マイナー参照点（４２０）がメジャー参照点（４１０）の間の時間に分散されているサブフレーム（４４０）の境界（４３０）を識別するように動作可能である（または設定される）。あるいは、装置（１０５、２００）は、サブフレーム（４４０）に関連付けられているマイナー参照点（４２０）を識別するように、かつサブフレーム（４４０）の境界（４３０）上のマイナー参照点（４２０）をメジャー参照点（４１０）として識別するように動作可能である。
【００５５】
メジャー参照点（４１０）およびマイナー参照点（４２０）は、メッセージ（４００）に関連付けられている直交周波数分割多重（ＯＦＤＭ）シンボル（４６０）の始めに対応することができる。メジャー参照点（４１０）およびマイナー参照点（４２０）は、時間で均一に分散されてもよい。時間におけるメジャー参照点（４１０）およびマイナー参照点（４２０）の分散は、メッセージ（４００）の通信パスの関数であってもよい。
【００５６】
装置（１０５、２００）は、メジャー参照点（９２０）の少なくとも１つでダウンリンク制御情報（ＤＣＩ）フォーマットの完全セット（９１０）を監視するように、かつマイナー参照点（９４０）の少なくとも１つでＤＣＩフォーマットの制限付きセット（９３０）を監視するように動作可能である。装置（１０５、２００）は、メジャー参照点（４１０）の間のマイナー参照点（４２０）のうちの１つで始まるようメッセージ（４００）送信するように動作可能である。メッセージ（７００）は、マイナー参照点（７１０）の１つで始まり、メジャー参照点（７２０）で終了することができる。メッセージ（８００）は、マイナー参照点（８１０）の１つで始まり、マイナー参照点（８２０）の別の１つで終了することができる。メッセージ（６００）は、メジャー参照点（６３０）をまたぐことができる。
【００５７】
装置（１０５、２００）は、メッセージ（４００）の送信に従ってサブフレーム（４４０）の始めにガード期間を挿入するように動作可能である。装置（１０５、２００）は、メッセージ（４００）の送信に従ってメッセージ（４００）の期間を選択するように動作可能である。装置（１０５、２００）は、ハイブリッド自動再送要求プロセスに応じてメッセージ（４００）を再送信するように動作可能である。装置（１０５、２００）は、通信システム（１００）のユーザ機器（１０５、２００）において具現されてもよい。
【００５８】
これ以降図１３を参照すると、示されているのは、ホストコンピュータに接続された通信ネットワーク（たとえば、３ＧＰＰタイプのセルラーネットワーク）１３１０を含む通信システムの実施形態を示す概略図である。通信ネットワーク１３１０は、無線アクセスネットワークのようなアクセスネットワーク１３１１、およびコアネットワーク１３１４を含む。アクセスネットワーク１３１１は、各々が対応するカバレッジエリア１３１３ａ、１３１３ｂ、１３１３ｃを規定する、ＮＢ、ｅＮＢ、ｇＮＢのような複数の基地局またはその他のタイプの無線アクセスポイントを含む。各基地局１３１２ａ、１３１２ｂ、１３１２ｃは、有線または無線接続を介してコアネットワーク１３１４に接続可能である。カバレッジエリア１３１３ｃに位置する第１のユーザ機器（ＵＥ）１３９１は、対応する基地局１３１２ｃに無線で接続されるか、または対応する基地局１３１２ｃによってページングされる。カバレッジエリア１３１３ａの第２のＵＥ１３９２は、対応する基地局１３１２ａに無線で接続可能である。複数のＵＥ１３９１、１３９２がこの例において示されているが、開示される実施形態は、単独のＵＥがカバレッジエリアにある場合、または単独のＵＥが対応する基地局１３１２に接続されている場合の状況に同等に適用可能である。
【００５９】
通信ネットワーク１３１０はそれ自体、ホストコンピュータ１３３０に接続されており、ホストコンピュータ１３３０はスタンドアロンのサーバ、クラウド実施のサーバのハードウェアおよび／またはソフトウェアにおいて、またはサーバファームの処理リソースとして具現されてもよい。ホストコンピュータ１３３０は、サービスプロバイダの所有もしくは制御の下にあってもよいか、またはサービスプロバイダによってもしくはサービスプロバイダに代わって操作されてもよい。通信ネットワーク１３１０とホストコンピュータ１３３０の間の接続１３２１、１３２２は、コアネットワーク１３１４からホストコンピュータ１３３０まで直接伸張することができるか、またはオプションの中間ネットワーク１３２０を経由することができる。中間ネットワーク１３２０は、パブリック、プライベート、もしくはホストされるネットワークの１つ、または複数の組合せであってもよく、中間ネットワーク１３２０は、あるとすれば、バックボーンネットワークもしくはインターネットであってもよく、特に、中間ネットワーク１３２０は、２つ以上のサブネットワーク（図示せず）を含むこともできる。
【００６０】
図１３の通信システムは概して、接続されるＵＥ１３９１、１３９２の１つとホストコンピュータ１３３０との間の接続を可能にする。接続は、オーバーザトップ（ＯＴＴ）接続１３５０として説明されてもよい。ホストコンピュータ１３３０および接続されたＵＥ１３９１、１３９２は、アクセスネットワーク１３１１、コアネットワーク１３１４、任意の中間ネットワーク１３２０、および場合によっては仲介としてさらなるインフラストラクチャ（図示せず）を使用して、ＯＴＴ接続１３５０を介してデータおよび／またはシグナリングを通信するように設定される。ＯＴＴ接続１３５０は、ＯＴＴ接続１３５０が通過する参加通信デバイスがアップリンクおよびダウンリンク通信のルーティングを認識しない、という意味で、透過的であってもよい。たとえば、基地局１３１２は、接続されているＵＥ１３９１に転送される（たとえば、ハンドオーバーされる）べきホストコンピュータ１３３０から生じるデータとの着信ダウンリンク通信の過去のルーティングに関して通知されなくてもよいか、または通知される必要はない。同様に、基地局１３１２は、ホストコンピュータ１３３０に向けてＵＥ１３９１から生じる発信アップリンク通信の将来のルーティングを認識する必要はない。
【００６１】
これ以降図１４を参照すると、示されているのは、通信システム１４００の実施形態を示すブロック図である。通信システム１４００において、ホストコンピュータ１４１０は、通信システム１４００の異なる通信デバイスのインターフェイスとの有線または無線接続をセットアップして保持するように設定された通信インターフェイス１４１６を含むハードウェア１４１５を含む。ホストコンピュータ１４１０は、ストレージおよび／または処理機能を有することができる処理回路（プロセッサ）１４１８をさらに含む。特に、処理回路１４１８は、１つまたは複数のプログラマブルプロセッサ、特定用途向け集積回路、フィールドプログラマブルゲートアレイ、または命令を実行するように適合されたそれらの組合せ（図示せず）を含むことができる。ホストコンピュータ１４１０は、ホストコンピュータ１４１０に格納されているかまたはアクセス可能であって、処理回路１４１８によって実行可能であるソフトウェア１４１１をさらに含む。ソフトウェア１４１１は、ホストアプリケーション１４１２を含む。ホストアプリケーション１４１２は、ＵＥ１４３０およびホストコンピュータ１４１０において終端するＯＴＴ接続１４５０を介して接続するＵＥ１４３０のような、リモートユーザにサービスを提供するように動作可能であってもよい。リモートユーザにサービスを提供する際、ホストアプリケーション１４１２は、ＯＴＴ接続１４５０を使用して送信されるユーザデータを提供することができる。
【００６２】
通信システム１４００は、通信システムにおいて提供され、ホストコンピュータ１４１０およびＵＥ１４３０と通信できるようにするハードウェア１４２５を含む基地局１４２０をさらに含む。ハードウェア１４２５は、通信システム１４００の異なる通信デバイスのインターフェイスとの有線または無線接続をセットアップして保持するための通信インターフェイス１４２６、および基地局１４２０にサービス提供されるカバレッジエリア（図１４に図示せず）に位置するＵＥ１４３０との少なくとも無線接続１４７０をセットアップして保持するための無線インターフェイス１４２７を含むことができる。通信インターフェイス１４２６は、ホストコンピュータ１４１０への接続１４６０を容易にするように設定されてもよい。接続１４６０は、直接であってもよいか、あるいは通信システムのコアネットワーク（図１４には図示せず）および／または通信システムの外部の１つもしくは複数の中間ネットワークを通過してもよい。示されている実施形態において、基地局１４２０のハードウェア１４２５は、１つまたは複数のプログラマブルプロセッサ、特定用途向け集積回路、フィールドプログラマブルゲートアレイ、または命令を実行するように適合されたそれらの組合せ（図示せず）を含むことができる処理回路１４１８をさらに含む。基地局１４２０は、内部に格納されているか、または外部接続を介してアクセス可能なソフトウェア１４２１をさらに有する。
【００６３】
通信システム１４００はさらに、ＵＥ１４３０を含む。ＵＥ１４３０は、ＵＥ１４３０が現在位置するカバレッジエリアにサービス提供する基地局との無線接続１４７０をセットアップして保持するように設定された無線インターフェイス１４３７を有するハードウェア１４３５を含む。ＵＥ１４３０のハードウェア１４３５は、１つまたは複数のプログラマブルプロセッサ、特定用途向け集積回路、フィールドプログラマブルゲートアレイ、または命令を実行するように適合されたそれらの組合せ（図示せず）を備えることができる処理回路１４３８をさらに含む。ＵＥ１４３０は、ＵＥ１４３０に格納されているかまたはアクセス可能であって、処理回路１４３８によって実行可能であるソフトウェア１４３１をさらに含む。ソフトウェア１４３１は、クライアントアプリケーション１４３２を含む。クライアントアプリケーション１４３２は、ホストコンピュータ１４１０のサポートにより、ＵＥ１４３０を介して人間または非人間のユーザにサービスを提供するように動作可能であってもよい。ホストコンピュータ１４１０において、実行中のホストアプリケーション１４１２は、ＵＥ１４３０およびホストコンピュータ１４１０において終端するＯＴＴ接続１４５０を介して、実行中のクライアントアプリケーション１４３２と通信することができる。ユーザにサービスを提供する際、クライアントアプリケーション１４３２は、ホストアプリケーション１４１２から要求データを受信して、要求データに応じてユーザデータを提供することができる。ＯＴＴ接続１４５０は、要求データおよびユーザデータの両方を転送することができる。クライアントアプリケーション１４３２は、ユーザと対話して、提供するユーザデータを生成することができる。
【００６４】
図１４に示されているホストコンピュータ１４１０、基地局１４２０、およびＵＥ１４３０はそれぞれ、図１３のホストコンピュータ１３３０、基地局１３１２ａ、１３１２ｂ、１３１２ｃのうちの１つ、およびＵＥ１３９１、１３９２のうちの１つと同一であってもよいことに留意されたい。つまり、これらのエンティティの内部構造は、図１４に示されるものであってもよく、無関係に、周囲のネットワークトポロジーは図１３のトポロジーであってもよい。
【００６５】
図１４において、ＯＴＴ接続１４５０は、いかなる介在デバイスおよびそれらのデバイスを介するメッセージの正確なルーティングを明示的に参照することなく、基地局１４２０を介するホストコンピュータ１４１０とユーザ機器１４３０の間の通信を示すために抽象的に描かれている。ネットワークインフラストラクチャは、ルーティングを決定することができ、ルーティングは、ＵＥ１４３０、またはホストコンピュータ１４１０を操作するサービスプロバイダ、またはその両方に表示しないように設定されてもよい。ＯＴＴ接続１４５０がアクティブである間、ネットワークインフラストラクチャは、ルーティングを（たとえばロードバランシングの考慮またはネットワークの再設定に基づいて）動的に変更する決定をさらに行うことができる。
【００６６】
測定手順は、データ転送速度、レイテンシ、および１つまたは複数の実施形態が改善するその他の要因を監視する目的で提供されてもよい。測定結果の変動に応じて、ホストコンピュータ１４１０とＵＥ１４３０の間のＯＴＴ接続１４５０を再設定するためのオプションのネットワーク機能がさらにあってもよい。ＯＴＴ接続１４５０を再設定するための測定手順および／またはネットワーク機能は、ホストコンピュータ１４１０のソフトウェア１４１１、またはＵＥ１４３０のソフトウェア１４３１、またはその両方において実施されてもよい。実施形態において、センサー（図示せず）は、ＯＴＴ接続１４５０が通過する通信デバイスにおいて、または通信デバイスと関連して配備されてもよく、センサーは、上記で例示される監視量の値を供給するか、またはソフトウェア１４１１、１４３１が監視量を計算または推定することができるその他の物理量の値を供給することによって、測定手順に関与することができる。ＯＴＴ接続１４５０の再設定は、メッセージフォーマット、再送信設定、好ましいルーティングなどを含むことができ、再設定は、基地局１４２０に影響を与える必要はなく、再設定は基地局１４２０に知られていないかまたは感知できなくてもよい。そのような手順および機能は、当技術分野において知られており、実施されてもよい。特定の実施形態において、測定は、スループット、伝搬時間、レイテンシなどのホストコンピュータ１４１０測定を容易にする専有のＵＥシグナリングを伴うことができる。測定は、ソフトウェア１４１１、１４３１が、伝搬時間、エラーなどを監視しながら、ＯＴＴ接続１４５０を使用して、特に空または「ダミー」メッセージで、メッセージを送信されるようにさせることで実施されてもよい。
【００６７】
引き続き前述の図面を参照すると、ホストアプリケーション（１４１２）を実行するように動作可能であるホストコンピュータ（１４１０）、またはホストコンピュータを操作する方法を含む通信システム（１４００）が、本明細書において紹介されている。ホストコンピュータ（１４１０）は、ユーザデータを提供するように設定された処理回路（１４１８）、およびユーザ機器（１４３０）への送信のためにユーザデータをセルラーネットワークに転送するように設定された通信インターフェイス（１４１６）を含む。セルラーネットワークは、無線インターフェイス（１４２７）と、サブフレームに関連付けられているメジャー参照点（４１０）およびマイナー参照点（４２０）を識別するように設定された処理回路（１４２８）とを有する基地局（１４２０）を含む。それに従って、基地局（１４２０）は、メジャー参照点（４１０）が境界（４３０）とそろえられ、マイナー参照点（４２０）がメジャー参照点（４１０）の間の時間に分散されているサブフレーム（４４０）の境界（４３０）を識別することができるか、またはサブフレーム（４４２０）に関連付けられているマイナー参照点（４２０）を識別して、サブフレーム（４２０）の境界（４３０）上のマイナー参照点（４２０）をメジャー参照点（４１０）として識別することができる。
【００６８】
メジャー参照点（４１０）およびマイナー参照点（４２０）は、メッセージ（４００）に関連付けられている直交周波数分割多重（ＯＦＤＭ）シンボル（４６０）の始めに対応することができる。メジャー参照点（４１０）およびマイナー参照点（４２０）は、時間で均一に分散されてもよい。時間におけるメジャー参照点（４１０）およびマイナー参照点（４２０）の分散は、メッセージ（４００）の通信パスの関数であってもよい。
【００６９】
基地局（１４２０）の処理回路（１４２８）はまた、メジャー参照点（４１０）の間のマイナー参照点（４２０）のうちの１つで始まるようメッセージ（４００）の送信をスケジュールするように設定される。メッセージ（７００）は、マイナー参照点（７１０）の１つで始まり、メジャー参照点（７２０）で終了することができる。メッセージ（８００）は、マイナー参照点（８１０）の１つで始まり、マイナー参照点（８２０）の別の１つで終了することができる。メッセージ（６００）は、メジャー参照点（６３０）をまたぐことができる。基地局（１４２０）の処理回路（１４２８）はまた、メッセージ（４００）の送信に従ってサブフレーム（４４０）の始めにガード期間を挿入するように設定される。基地局（１４２０）の処理回路（１４２８）はまた、メッセージ（４００）の送信に従ってメッセージ（４００）の期間を選択するように設定される。
【００７０】
基地局（１４２０）の処理回路（１４２８）はまた、メッセージ（４００）の送信に関連するハイブリッド自動再送要求メッセージの送信をスケジュールするように設定される。基地局（１４２０）の処理回路（１４２８）はまた、メジャー参照点（９２０）の少なくとも１つでダウンリンク制御情報（ＤＣＩ）フォーマットの完全セット（９１０）を提供するように、かつマイナー参照点（９４０）の少なくとも１つでＤＣＩフォーマットの制限付きセット（９３０）を提供するように設定される。
【００７１】
引き続き前述の図面を参照すると、ホストアプリケーション（１４１２）を実行するように動作可能であるホストコンピュータ（１４１０）、またはホストコンピュータを操作する方法を含む通信システム（１４００）が、本明細書において紹介されている。ホストコンピュータ（１４１０）は、ユーザデータを提供するように設定された処理回路（１４１８）と、無線インターフェイス（１４３７）ならびにサブフレーム（４４０）に関連付けられているメジャー参照点（４１０）およびマイナー参照点（４２０）を識別するように設定された処理回路（４２０）を含むユーザ機器（１４３０）への送信のためにユーザデータをセルラーネットワークに転送するように設定された通信インターフェイス（１４１６）とを含む。それに従って、ユーザ機器（１４３０）は、メジャー参照点（４１０）が境界（４３０）とそろえられ、マイナー参照点（４２０）がメジャー参照点（４１０）の間の時間に分散されているサブフレーム（４４０）の境界（４３０）を識別することができるか、またはサブフレーム（４４２０）に関連付けられているマイナー参照点（４２０）を識別して、サブフレーム（４２０）の境界（４３０）上のマイナー参照点（４２０）をメジャー参照点（４１０）として識別することができる。
【００７２】
メジャー参照点（４１０）およびマイナー参照点（４２０）は、メッセージ（４００）に関連付けられている直交周波数分割多重（ＯＦＤＭ）シンボル（４６０）の始めに対応することができる。メジャー参照点（４１０）およびマイナー参照点（４２０）は、時間で均一に分散されてもよい。時間におけるメジャー参照点（４１０）およびマイナー参照点（４２０）の分散は、メッセージ（４００）の通信パスの関数であってもよい。
【００７３】
ユーザ機器（１４３０）の処理回路（１４３８）はまた、メジャー参照点（４１０）の間のマイナー参照点（４２０）のうちの１つで始まるようメッセージ（４００）を送信するように設定される。メッセージ（７００）は、マイナー参照点（７１０）の１つで始まり、メジャー参照点（７２０）で終了することができる。メッセージ（８００）は、マイナー参照点（８１０）の１つで始まり、マイナー参照点（８２０）の別の１つで終了することができる。メッセージ（６００）は、メジャー参照点（６３０）をまたぐことができる。ユーザ機器（１４３０）の処理回路（１４３８）はまた、メッセージ（４００）の送信に従ってサブフレーム（４４０）の始めにガード期間を挿入するように設定される。ユーザ機器（１４３０）の処理回路（１４３８）はまた、メッセージ（４００）の送信に従ってメッセージ（４００）の期間を選択するように設定される。
【００７４】
ユーザ機器（１４３０）の処理回路（１４３８）はまた、ハイブリッド自動再送要求プロセスに応じてメッセージ（４００）を再送信するように設定される。ユーザ機器（１４３０）の処理回路（１４３８）はまた、メジャー参照点（９２０）の少なくとも１つでダウンリンク制御情報（ＤＣＩ）フォーマットの完全セット（９１０）を監視するように、かつマイナー参照点（９４０）の少なくとも１つでＤＣＩフォーマットの制限付きセット（９３０）を監視するように設定される。
【００７５】
引き続き前述の図面を参照すると、ホストアプリケーション（１４１２）を実行するように動作可能であるホストコンピュータ（１４１０）、またはホストコンピュータを操作する方法を含む通信システム（１４００）が、本明細書において紹介されている。ホストコンピュータ（１４１０）は、ユーザデータを提供するように設定された処理回路（１４１８）と、無線インターフェイス（１４３７）ならびにサブフレーム（４４０）に関連付けられているメジャー参照点（４１０）およびマイナー参照点（４２０）を識別するように設定された処理回路（４２０）を含むユーザ機器（１４３０）への送信のためにユーザデータをセルラーネットワークに転送するように設定された通信インターフェイス（１４１６）とを含む。それに従って、ユーザ機器（１４３０）は、メジャー参照点（４１０）が境界（４３０）とそろえられ、マイナー参照点（４２０）がメジャー参照点（４１０）の間の時間に分散されているサブフレーム（４４０）の境界（４３０）を識別することができるか、またはサブフレーム（４４２０）に関連付けられているマイナー参照点（４２０）を識別して、サブフレーム（４２０）の境界（４３０）上のマイナー参照点（４２０）をメジャー参照点（４１０）として識別することができる。
【００７６】
メジャー参照点（４１０）およびマイナー参照点（４２０）は、メッセージ（４００）に関連付けられている直交周波数分割多重（ＯＦＤＭ）シンボル（４６０）の始めに対応することができる。メジャー参照点（４１０）およびマイナー参照点（４２０）は、時間で均一に分散されてもよい。時間におけるメジャー参照点（４１０）およびマイナー参照点（４２０）の分散は、メッセージ（４００）の通信パスの関数であってもよい。
【００７７】
ユーザ機器（１４３０）の処理回路（１４３８）はまた、メジャー参照点（９２０）の少なくとも１つでダウンリンク制御情報（ＤＣＩ）フォーマットの完全セット（９１０）を監視するように、かつマイナー参照点（９４０）の少なくとも１つでＤＣＩフォーマットの制限付きセット（９３０）を監視するように設定される。ユーザ機器（１４３０）の処理回路（１４３８）はまた、メジャー参照点（４１０）の間のマイナー参照点（４２０）のうちの１つで始まるようメッセージ（４００）を送信するように設定される。メッセージ（７００）は、マイナー参照点（７１０）の１つで始まり、メジャー参照点（７２０）で終了することができる。メッセージ（８００）は、マイナー参照点（８１０）の１つで始まり、マイナー参照点（８２０）の別の１つで終了することができる。メッセージ（６００）は、メジャー参照点（６３０）をまたぐことができる。
【００７８】
ユーザ機器（１４３０）の処理回路（１４３８）はまた、メッセージ（４００）の送信に従ってサブフレーム（４４０）の始めにガード期間を挿入するように設定される。ユーザ機器（１４３０）の処理回路（１４３８）はまた、メッセージ（４００）の送信に従ってメッセージ（４００）の期間を選択するように設定される。ユーザ機器（１４３０）の処理回路（１４３８）はまた、ハイブリッド自動再送要求プロセスに応じてメッセージ（４００）を再送信するように設定される。
【００７９】
開示される主題は、さまざまな実施形態を参照して上記で提示されたが、本発明の総合的な範囲を逸脱することなく、形態および詳細のさまざまな変更が、説明される実施形態に行われてもよいことが理解されるであろう。前述の実施形態の結果として、柔軟な送信グリッドが提供され、それにより特にレイテンシを改善する。
【００８０】
図面および説明のプロセスは、本発明の特定の実施形態により実行される操作の特定の順序を示すことができるが、そのような順序は例示的なものであることを理解されたい（たとえば、代替的な実施形態は、異なる順序で操作を実行すること、特定の操作を組み合わせること、特定の操作を重複させることなどもできる）。
【００８１】
本発明は、いくつかの実施形態に関して説明されたが、本発明が、説明される実施形態に限定されないこと、添付の特許請求の範囲の精神および範囲内で変更および修正を加えて実施されてもよいことを当業者は理解するであろう。したがって、説明は、限定的ではなく、例示的なものと見なされるべきである。
【００８２】
上記で説明されるように、例示的な実施形態は、方法のステップを実行するための機能を提供するさまざまなモジュールから成る方法および対応する装置の両方を提供する。モジュールは、（特定用途向け集積回路のような集積回路を含む１つまたは複数のチップに具現された）ハードウェアとして実施されてもよいか、またはプロセッサによる実行のためのソフトウェアまたはファームウェアとして実施されてもよい。特に、ファームウェアまたはソフトウェアの場合、例示的な実施形態は、コンピュータプロセッサによる実行のためにコンピュータプログラムコード（つまり、ソフトウェアまたはファームウェア）を具現するコンピュータ可読ストレージ媒体を含むコンピュータプログラム製品として提供されてもよい。コンピュータ可読ストレージ媒体は、非一時的（たとえば、磁気ディスク、光ディスク、読み取り専用メモリ、フラッシュメモリデバイス、位相変化メモリ）、または一時的（たとえば、キャリア波、赤外線信号、デジタル信号などのような、電気、光、音響またはその他の形態の伝搬信号）であってもよい。プロセッサのセットとその他のコンポーネントの結合は、通常、１つまたは複数のバスまたはブリッジ（バスコントローラとも称される）を経由する。ストレージデバイスと、デジタルトラフィックを搬送する信号はそれぞれ、１つまたは複数の非一時的または一時的コンピュータ可読ストレージ媒体を表す。したがって、所与の電子デバイスのストレージデバイスは、通常、コントローラのようなその電子デバイスの１つまたは複数のプロセッサのセットでの実行のためにコードおよび／またはデータを格納する。
【００８３】
実施形態およびその利点は詳細に説明されてきたが、さまざまな変更、置換、および修正が、添付の特許請求の範囲によって規定される実施形態の精神および範囲を逸脱することなく本明細書において行われてもよいことを理解されたい。たとえば、上記で説明される特徴および機能の多くが、ソフトウェア、ハードウェア、またはファームウェア、またはその組合せにおいて実施されてもよい。また、特徴、機能、およびそれらを操作するステップは、再配列、省略、追加などが行われてもよく、引き続きさまざまな実施形態の広範な範囲に含まれる。
【００８４】
さらに、さまざまな実施形態の範囲は、本明細書において説明されるプロセス、マシン、製造品、組成物、手段、方法、およびステップの特定の実施形態に限定されることを意図されていない。当業者であれば開示から容易に理解するであろうように、現在存在するかまたは後に開発される、本明細書において説明される対応する実施形態とほぼ同じ機能を実行するかまたはほぼ同じ結果を達成する、プロセス、マシン、製造品、組成物、手段、方法、およびステップが、同様に利用されてもよい。したがって、添付の特許請求の範囲は、そのようなプロセス、マシン、製造品、組成物、手段、方法、またはステップを範囲内に含むことが意図される。
【図１】
2019524033.tif 000003
【図２】
2019524033.tif 000004
【図３】
2019524033.tif 000005
【図４】
2019524033.tif 000006
【図５】
2019524033.tif 000007
【図６】
2019524033.tif 000008
【図７】
2019524033.tif 000009
【図８】
2019524033.tif 000010
【図９】
2019524033.tif 000011
【図１０】
2019524033.tif 000012
【図１１】
2019524033.tif 000013
【図１２】
2019524033.tif 000014
【図１３】
2019524033.tif 000015
【図１４】
2019524033.tif 000016
【手続補正書】
【提出日】平成31年2月26日(2019.2.26)
【手続補正１】
【補正対象書類名】特許請求の範囲
【補正対象項目名】全文
【補正方法】変更
【補正の内容】
【特許請求の範囲】
【請求項１】
メジャー参照点（４１０）が境界（４３０）とそろえられ、マイナー参照点（４２０）が前記メジャー参照点（４１０）の間の時間に分散されているサブフレーム（４４０）の前記境界（４３０）を識別すること（１２２０）と、
前記メジャー参照点の少なくとも１つ（９２０）でダウンリンク制御情報（ＤＣＩ）フォーマットの完全セット（９１０）を監視し、前記マイナー参照点の少なくとも１つ（９４０）でＤＣＩフォーマットの制限付きセット（９３０）を監視すること（１２３０）とを含み、前記制限付きセットは、空のセット、前記完全セットのサブセット、または前記完全セットと等価のセットのうちの１つを備える、方法（１２００）。
【請求項２】
前記メジャー参照点（４１０）および前記マイナー参照点（４２０）は、メッセージ（４００）に関連付けられている直交周波数分割多重（ＯＦＤＭ）シンボル（４６０）の始めに対応する、請求項１に記載の方法（１２００）。
【請求項３】
前記メジャー参照点（４１０）および前記マイナー参照点（４２０）は、時間で均一に分散される、請求項１に記載の方法（１２００）。
【請求項４】
時間における前記メジャー参照点（４１０）および前記マイナー参照点（４２０）の分散は、メッセージ（４００）の通信パスの関数である、請求項１に記載の方法（１２００）。
【請求項５】
前記メジャー参照点（４１０）の間の前記マイナー参照点（４２０）のうちの１つで始まるようメッセージ（４００）を送信すること（１２４０）をさらに含む、請求項１に記載の方法（１２００）。
【請求項６】
前記送信すること（１２４０）は、選択された期間に従って前記メッセージ（４００）を送信することをさらに含む、請求項５に記載の方法（１２００）。
【請求項７】
前記メッセージ（７００）は、前記マイナー参照点の１つ（７１０）で始まり、メジャー参照点（７２０）で終了する、請求項５に記載の方法（１２００）。
【請求項８】
前記メッセージ（８００）は、前記マイナー参照点の１つ（８１０）で始まり、前記マイナー参照点の別の１つ（８２０）で終了する、請求項５に記載の方法（１２００）。
【請求項９】
前記メッセージ（６００）は、メジャー参照点（６３０）をまたぐ、請求項５に記載の方法（１２００）。
【請求項１０】
前記方法（１２００）は、通信システム（１００）のユーザ機器（１０５、２００）において実行される、請求項１に記載の方法（１２００）。
【請求項１１】
プロセッサ（２０５）と、
コンピュータプログラムコードを含むメモリ（２１０）とを備え、前記プロセッサ（２０５）、前記メモリ（２１０）、および前記コンピュータプログラムコードは、
メジャー参照点（４１０）が境界（４３０）とそろえられ、マイナー参照点（４２０）が前記メジャー参照点（４１０）の間の時間に分散されているサブフレーム（４４０）の前記境界（４３０）を識別することと、
前記メジャー参照点の少なくとも１つ（９２０）でダウンリンク制御情報（ＤＣＩ）フォーマットの完全セット（９１０）を監視し、前記マイナー参照点の少なくとも１つ（９４０）でＤＣＩフォーマットの制限付きセット（９３０）を監視することとを行うように集合的に動作可能であり、前記制限付きセットは、空のセット、前記完全セットのサブセット、または前記完全セットと等価のセットのうちの１つを備える、装置（１０５、２００）。
【請求項１２】
前記メジャー参照点（４１０）および前記マイナー参照点（４２０）は、前記メッセージ（４００）に関連付けられている直交周波数分割多重（ＯＦＤＭ）シンボル（４６０）の始めに対応する、請求項１１に記載の装置（１０５、２００）。
【請求項１３】
前記メジャー参照点（４１０）および前記マイナー参照点（４２０）は、時間で均一に分散される、請求項１１に記載の装置（１０５、２００）。
【請求項１４】
時間における前記メジャー参照点（４１０）および前記マイナー参照点（４２０）の分散は、前記メッセージ（４００）の通信パスの関数である、請求項１１に記載の装置（１０５、２００）。
【請求項１５】
前記メモリ（２１０）および前記コンピュータプログラムコードは、前記プロセッサ（２０５）により、前記装置（１０５、２００）に、前記メジャー参照点（４１０）の間の前記マイナー参照点（４２０）の１つで始まるようメッセージ（４００）を送信させるようにさらに設定される、請求項１１に記載の装置（１０５、２００）。
【請求項１６】
前記メモリ（２１０）および前記コンピュータプログラムコードは、前記プロセッサ（２０５）により、前記装置（１０５、２００）に、選択された期間に従って前記メッセージ（４００）を送信させるようにさらに設定される、請求項１５に記載の装置（１０５、２００）。
【請求項１７】
前記メッセージ（７００）は、前記マイナー参照点の１つ（７１０）で始まり、メジャー参照点（７２０）で終了する、請求項１５に記載の装置（１０５、２００）。
【請求項１８】
前記メッセージ（８００）は、前記マイナー参照点の１つ（８１０）で始まり、前記マイナー参照点の別の１つ（８２０）で終了する、請求項１５に記載の装置（１０５、２００）。
【請求項１９】
前記メッセージ（６００）は、メジャー参照点（６３０）をまたぐ、請求項１５に記載の装置（１０５、２００）。
【請求項２０】
前記装置（１０５、２００）は、通信システム（１００）のユーザ機器（１０５、２００）において具現される、請求項１１に記載の装置（１０５、２００）。
【手続補正２】
【補正対象書類名】明細書
【補正対象項目名】００２９
【補正方法】変更
【補正の内容】
【００２９】
このことは、ＤＣＩフォーマットの全セット（そのうちの１つが９１０と指定される）がメジャーティック（９２０と指定されるうちの１つ）またはメジャーティック９２０のサブセットについて監視されるように、活用されうる。間欠受信（ＤＲＸ）パターンは、ユーザ機器がメジャーティック９２０のサブセットにおいてのみＤＣＩフォーマットを監視するように適用されうる。ＤＣＩフォーマットの制限付きセット（そのうちの１つが９３０と指定される）は、マイナーティック（そのうちの１つが９４０と指定される）またはマイナーティック９４０のサブセットについて監視される。減少したＤＣＩフォーマットが監視されるマイナーティック９４０のセットは、設定されうる（たとえば、無線リソース制御（ＲＲＣ）シグナリング）かまたは、技術的仕様の一部のように事前規定されうる。１つの可能性は、制限付きセットが設定されるまで、空の制限付きセット（つまり、ＤＣＩ監視なし）を有することである。加えて、ＤＣＩフォーマットの制限付きセット９３０は通常、ＤＣＩフォーマットの全セット９１０のサブセットであるが、必ずしもそうではない。制限付きセットはまた、完全サブセット（つまり適正なサブセットではない）と類似することもある。
【国際調査報告】
2019524033.tif 000017
2019524033.tif 000018